(57)【要約】【課題】システムの設定・変更を簡単に行うことができる計測システムを提供する。【解決手段】計測システムは、センサ３と複数のモジュール１，２とを組み合わせた計測装置１００と、クラウドサーバ１０１と、ユーザ端末１０２とを備える。ユーザ端末１０２は、計測システムの初期設定時に、センサ３とモジュール１，２のそれぞれのシンボルの読み取り、または近距離無線通信によりセンサ３とモジュール１，２のそれぞれの情報を取得してクラウドサーバ１０１に送信する。クラウドサーバ１０１は、計測システムの初期設定時に、ユーザ端末１０２から送信された情報に基づいて機能設定を行う。【選択図】  図１
2020144500.tif 000002
【特許請求の範囲】
【請求項１】
センサと複数の電子回路モジュールとを組み合わせた計測装置と、
前記複数の電子回路モジュールに含まれるネットワークモジュールとネットワークを介して接続されるクラウドサーバと、
このクラウドサーバと前記ネットワークを介して接続されるユーザ端末とを備え、
前記センサと前記複数の電子回路モジュールとは、それぞれ筐体に付設されたシンボルおよび第１の近距離無線通信部のうち少なくとも一方を備え、
前記ネットワークモジュールは、計測装置の計測結果を示すデジタルデータを前記クラウドサーバに送信するように構成された第１の通信部を備え、
前記ユーザ端末は、
計測システムの初期設定時に、前記センサと前記複数の電子回路モジュールのそれぞれのシンボルの読み取りにより前記センサと前記複数の電子回路モジュールのそれぞれの情報を取得するように構成された情報取得部、および前記センサと前記複数の電子回路モジュールのそれぞれの第１の近距離無線通信部との通信により前記センサと前記複数の電子回路モジュールのそれぞれの情報を取得するように構成された第２の近距離無線通信部のうち少なくとも一方と、
前記情報取得部または前記第２の近距離無線通信部によって取得された情報を示すデジタルデータを前記クラウドサーバに送信し、前記クラウドサーバから送信されたデジタルデータを受信するように構成された第２の通信部と、
前記クラウドサーバから送信されたデジタルデータが示す計測結果を表示するように構成された表示部とを備え、
前記クラウドサーバは、
前記ユーザ端末から送信されたデジタルデータを受信し、前記ネットワークモジュールから受信したデジタルデータを前記ユーザ端末に送信するように構成された第３の通信部と、
前記ネットワークモジュールから送信されたデジタルデータを受信するように構成された第４の通信部と、
計測システムの初期設定時に、前記ユーザ端末から送信された情報に基づいて通信に関する設定を前記第４の通信部に対して行うように構成された通信機能設定部とを備えることを特徴とする計測システム。
【請求項２】
請求項１記載の計測システムにおいて、
前記複数の電子回路モジュールに含まれるＡＤモジュールまたは暗号化モジュールは、計測装置の計測結果を示すデジタルデータを暗号化キーを用いて暗号化した暗号化デジタルデータを生成するように構成された暗号化部を備え、
前記ネットワークモジュールの第１の通信部は、前記ＡＤモジュールまたは前記暗号化モジュールから受信した暗号化デジタルデータを前記クラウドサーバに送信し、
前記クラウドサーバは、
前記ネットワークモジュールから受信した暗号化デジタルデータを復号するように構成された復号部と、
計測システムの初期設定時に、前記ユーザ端末から送信された情報に含まれる前記暗号化キーを前記復号部に対して設定するように構成された暗号化機能設定部とをさらに備え、
前記クラウドサーバの第３の通信部は、前記復号部によって復号されたデジタルデータを前記ユーザ端末に送信することを特徴とする計測システム。
【請求項３】
請求項１または２記載の計測システムにおいて、
前記クラウドサーバは、
前記ネットワークモジュールから受信したデジタルデータが示す値を、計測の対象となる量に換算するように構成された換算部と、
計測システムの初期設定時に、前記ユーザ端末から送信された情報に基づいて計測機能に関する設定を前記換算部に対して行うように構成された計測機能設定部とをさらに備え、
前記クラウドサーバの第３の通信部は、前記換算部によって換算されたデジタルデータを前記ユーザ端末に送信することを特徴とする計測システム。
【請求項４】
請求項１記載の計測システムにおいて、
前記複数の電子回路モジュールに含まれるＡＤモジュールまたは暗号化モジュールは、計測装置の計測結果を示すデジタルデータを第１の暗号化キーを用いて暗号化し、さらに第２の暗号化キーを用いて暗号化した暗号化デジタルデータを生成するように構成された暗号化部を備え、
前記ネットワークモジュールの第１の通信部は、前記ＡＤモジュールまたは前記暗号化モジュールから受信した暗号化デジタルデータを前記クラウドサーバに送信し、
前記クラウドサーバは、
前記ネットワークモジュールから受信した暗号化デジタルデータを復号するように構成された第１の復号部と、
計測システムの初期設定時に、前記ユーザ端末から送信された情報に含まれる前記第２の暗号化キーを前記第１の復号部に対して設定するように構成された第１の暗号化機能設定部とをさらに備え、
前記クラウドサーバの第３の通信部は、前記第１の復号部によって復号された暗号化デジタルデータを前記ユーザ端末に送信し、
前記ユーザ端末は、
前記クラウドサーバから送信された暗号化デジタルデータを復号するように構成された第２の復号部と、
計測システムの初期設定時に、前記情報取得部または前記第２の近距離無線通信部によって取得された情報に含まれる前記第１の暗号化キーを前記第２の復号部に対して設定するように構成された第２の暗号化機能設定部とをさらに備え、
前記ユーザ端末の表示部は、前記第２の復号部によって復号されたデジタルデータが示す計測結果を表示することを特徴とする計測システム。
【請求項５】
請求項４記載の計測システムにおいて、
前記ユーザ端末は、
前記第２の復号部によって復号されたデジタルデータが示す値を、計測の対象となる量に換算するように構成された換算部と、
計測システムの初期設定時に、前記情報取得部または前記第２の近距離無線通信部によって取得された情報に基づいて計測機能に関する設定を前記換算部に対して行うように構成された計測機能設定部とをさらに備え、
前記ユーザ端末の表示部は、前記換算部によって換算されたデジタルデータが示す計測結果を表示することを特徴とする計測システム。
【請求項６】
請求項１乃至５のいずれか１項に記載の計測システムにおいて、
前記クラウドサーバは、
前記計測装置のバッテリの交換時期を推定するように構成されたバッテリ寿命推定部と、
計測システムの初期設定時に、前記ユーザ端末から送信された情報に基づいて、前記センサおよび各モジュールの定格消費電力の情報と前記バッテリの容量の情報とを前記バッテリ寿命推定部に対して設定するように構成された電力管理機能設定部とをさらに備え、
前記クラウドサーバの第３の通信部は、前記バッテリの交換時期を示すデジタルデータを前記ユーザ端末に送信し、
前記ユーザ端末の表示部は、前記クラウドサーバから受信したデジタルデータが示すバッテリの交換時期の情報を表示することを特徴とする計測システム。
【請求項７】
請求項１乃至６のいずれか１項に記載の計測システムにおいて、
前記クラウドサーバは、
前記センサの点検時期、交換時期を推定するように構成されたセンサ点検／交換時期推定部と、
計測システムの初期設定時に、前記ユーザ端末から送信された情報に基づいて、前記センサの点検間隔、利用可能期間の情報を前記センサ点検／交換時期推定部に対して設定するように構成されたセンサ管理機能設定部とをさらに備え、
前記クラウドサーバの第３の通信部は、前記センサの点検時期、交換時期を示すデジタルデータを前記ユーザ端末に送信し、
前記ユーザ端末の表示部は、前記クラウドサーバから受信したデジタルデータが示すセンサの点検時期、交換時期の情報を表示することを特徴とする計測システム。
【請求項８】
請求項１乃至７のいずれか１項に記載の計測システムにおいて、
前記クラウドサーバは、
前記センサとモジュールの組み合わせが正しいかどうかを確認するように構成された組み合わせ確認部と、
計測システムの初期設定時に、前記ユーザ端末から送信された情報に基づいて組み合わせ確認機能に関する設定を前記組み合わせ確認部に対して行うように構成された組み合わせ確認機能設定部とをさらに備え、
前記クラウドサーバの第３の通信部は、前記組み合わせの確認結果を示すデジタルデータを前記ユーザ端末に送信し、
前記ユーザ端末の表示部は、前記クラウドサーバから受信したデジタルデータが示す組み合わせの確認結果の情報を表示することを特徴とする計測システム。
【請求項９】
請求項１記載の計測システムにおいて、
前記計測装置は、
計測の対象となる量を検出するセンサと、
このセンサから入力されたアナログ信号をデジタルデータに変換するように構成されたＡＤモジュールと、
外部の電源から受電した電力を前記ＡＤモジュールに供給し、前記デジタルデータを前記クラウドサーバに送信するように構成された前記ネットワークモジュールとから構成され、
前記ＡＤモジュールは、
第１の通信・受給電コネクタと、
第２の通信・受給電コネクタと、
前記第１の通信・受給電コネクタの電源端子と前記第２の通信・受給電コネクタの電源端子間を接続するように構成された第１の電源線と、
前記第１の通信・受給電コネクタに接続されたセンサから入力されたアナログ信号を前記デジタルデータに変換するように構成されたＡＤ変換部とを備え、
前記ネットワークモジュールは、
前記ＡＤモジュールの第２の通信・受給電コネクタと着脱自在に嵌合する第３の通信・受給電コネクタと、
前記電源と着脱自在に嵌合する第４の通信・受給電コネクタと、
前記第３の通信・受給電コネクタの電源端子と前記第４の通信・受給電コネクタの電源端子間を接続するように構成された第２の電源線と、
前記第３の通信・受給電コネクタを介して前記ＡＤモジュールから受信したデジタルデータを前記クラウドサーバに送信するように構成された前記第１の通信部とを備えることを特徴とする計測システム。
【請求項１０】
請求項１記載の計測システムにおいて、
前記計測装置は、
計測の対象となる量を検出するセンサと、
センサから入力されたアナログ信号をデジタルデータに変換するように構成されたＡＤモジュールと、
他のモジュールから受電した電力を前記ＡＤモジュールに供給し、前記デジタルデータを暗号化した暗号化デジタルデータを生成するように構成された暗号化モジュールと、
外部の電源から受電した電力を前記暗号化モジュールに供給し、前記暗号化デジタルデータを前記クラウドサーバに送信するように構成された前記ネットワークモジュールとから構成され、
前記ＡＤモジュールは、
第１の通信・受給電コネクタと、
第２の通信・受給電コネクタと、
前記第１の通信・受給電コネクタの電源端子と前記第２の通信・受給電コネクタの電源端子間を接続するように構成された第１の電源線と、
前記第１の通信・受給電コネクタに接続されたセンサから入力されたアナログ信号を前記デジタルデータに変換するように構成されたＡＤ変換部とを備え、
前記暗号化モジュールは、
前記ＡＤモジュールの第２の通信・受給電コネクタと着脱自在に嵌合する第３の通信・受給電コネクタと、
前記ネットワークモジュールの通信・受給電コネクタと着脱自在に嵌合する第４の通信・受給電コネクタと、
前記第３の通信・受給電コネクタの電源端子と前記第４の通信・受給電コネクタの電源端子間を接続するように構成された第２の電源線と、
前記第３の通信・受給電コネクタを介して前記ＡＤモジュールから受信したデジタルデータを暗号化した暗号化デジタルデータを生成するように構成された暗号化部とを備え、
前記ネットワークモジュールは、
前記暗号化モジュールの第４の通信・受給電コネクタと着脱自在に嵌合する第５の通信・受給電コネクタと、
前記電源と着脱自在に嵌合する第６の通信・受給電コネクタと、
前記第５の通信・受給電コネクタの電源端子と前記第６の通信・受給電コネクタの電源端子間を接続するように構成された第３の電源線と、
前記第５の通信・受給電コネクタを介して前記暗号化モジュールから受信した暗号化デジタルデータを前記クラウドサーバに送信するように構成された前記第１の通信部とを備えることを特徴とする計測システム。
【請求項１１】
センサの通信・受給電コネクタと着脱自在に嵌合する、前記センサからの信号入力用の第１の通信・受給電コネクタと、
他のモジュールの通信・受給電コネクタと着脱自在に嵌合する、前記他のモジュールとのデータ通信および受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタに接続されたセンサから入力されたアナログ信号をデジタルデータに変換するように構成されたＡＤ変換部と、
前記デジタルデータを前記第２の通信・受給電コネクタを介して前記他のモジュールに送信するように構成されたデータ送信部と、
電子回路モジュールの情報を示すシンボル、および電子回路モジュールの情報を外部に送信するように構成された近距離無線通信部のうち少なくとも一方とを備えることを特徴とする電子回路モジュール。
【請求項１２】
請求項１１記載の電子回路モジュールにおいて、
前記デジタルデータを暗号化した暗号化デジタルデータを生成するように構成された暗号化部をさらに備え、
前記データ送信部は、前記暗号化デジタルデータを前記第２の通信・受給電コネクタを介して前記他のモジュールに送信することを特徴とする電子回路モジュール。
【請求項１３】
他の第１のモジュールの通信・受給電コネクタと着脱自在に嵌合する、前記第１のモジュールとのデータ通信および給電用の第１の通信・受給電コネクタと、
他の第２のモジュールの通信・受給電コネクタと着脱自在に嵌合する、前記第２のモジュールとのデータ通信および受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタを介して前記第１のモジュールから受信したデジタルデータを暗号化した暗号化デジタルデータを生成するように構成された暗号化部と、
前記暗号化デジタルデータを前記第２の通信・受給電コネクタを介して前記第２のモジュールに送信するように構成されたデータ送信部と、
電子回路モジュールの情報を示すシンボル、および電子回路モジュールの情報を外部に送信するように構成された近距離無線通信部のうち少なくとも一方とを備えることを特徴とする電子回路モジュール。
【請求項１４】
他のモジュールの通信・受給電コネクタと着脱自在に嵌合する、前記他のモジュールとのデータ通信および給電用の第１の通信・受給電コネクタと、
外部の電源の通信・受給電コネクタと着脱自在に嵌合する、前記電源からの受電用の第２の通信・受給電コネクタと、
前記第１の通信・受給電コネクタの電源端子と前記第２の通信・受給電コネクタの電源端子間を接続するように構成された電源線と、
前記第１の通信・受給電コネクタを介して前記他のモジュールから受信したデータを外部へ無線送信または有線送信するように構成された通信部と、
電子回路モジュールの情報を示すシンボル、および電子回路モジュールの情報を外部に送信するように構成された近距離無線通信部のうち少なくとも一方とを備えることを特徴とする電子回路モジュール。
【請求項１５】
センサと複数の電子回路モジュールとを組み合わせた計測装置の計測結果をクラウドサーバを介して受信するユーザ端末において、
計測システムの初期設定時に、前記センサと前記複数の電子回路モジュールのそれぞれのシンボルの読み取りにより前記センサと前記複数の電子回路モジュールのそれぞれの情報を取得するように構成された情報取得部、および前記センサと前記複数の電子回路モジュールのそれぞれとの近距離無線通信により前記センサと前記複数の電子回路モジュールのそれぞれの情報を取得するように構成された近距離無線通信部のうち少なくとも一方と、
前記情報取得部または前記近距離無線通信部によって取得された情報を示すデジタルデータを計測システムの初期設定用に前記クラウドサーバに送信し、前記クラウドサーバから送信されたデジタルデータを受信するように構成された通信部と、
前記クラウドサーバから送信されたデジタルデータが示す計測結果を表示するように構成された表示部とを備えることを特徴とするユーザ端末。
【請求項１６】
請求項１５記載のユーザ端末において、
前記計測装置のバッテリの交換時期を推定するように構成されたバッテリ寿命推定部と、
計測システムの初期設定時に、前記情報取得部または前記近距離無線通信部によって取得された情報に基づいて、前記センサおよび各モジュールの定格消費電力の情報と前記バッテリの容量の情報とを前記バッテリ寿命推定部に対して設定するように構成された電力管理機能設定部とをさらに備え、
前記表示部は、前記バッテリ寿命推定部によって推定されたバッテリの交換時期の情報を表示することを特徴とするユーザ端末。
【請求項１７】
請求項１５または１６記載のユーザ端末において、
前記センサの点検時期、交換時期を推定するように構成されたセンサ点検／交換時期推定部と、
計測システムの初期設定時に、前記情報取得部または前記近距離無線通信部によって取得された情報に基づいて、前記センサの点検間隔、利用可能期間の情報を前記センサ点検／交換時期推定部に対して設定するように構成されたセンサ管理機能設定部とをさらに備え、
前記表示部は、前記センサ点検／交換時期推定部によって推定されたセンサの点検時期、交換時期の情報を表示することを特徴とするユーザ端末。
【請求項１８】
請求項１５乃至１７のいずれか１項に記載のユーザ端末において、
前記センサとモジュールの組み合わせが正しいかどうかを確認するように構成された組み合わせ確認部と、
計測システムの初期設定時に、前記情報取得部または前記近距離無線通信部によって取得された情報に基づいて、組み合わせ確認機能に関する設定を前記組み合わせ確認部に対して行うように構成された組み合わせ確認機能設定部とをさらに備え、
前記表示部は、前記組み合わせ確認部によって得られた前記組み合わせの確認結果の情報を表示することを特徴とするユーザ端末。
【請求項１９】
センサと複数の電子回路モジュールとを組み合わせた計測装置と、ユーザ端末とを仲介するクラウドサーバにおいて、
前記センサと前記複数の電子回路モジュールのそれぞれの情報を示すデジタルデータを前記ユーザ端末から受信し、前記複数の電子回路モジュールに含まれるネットワークモジュールから受信したデジタルデータを前記ユーザ端末に送信するように構成された第１の通信部と、
前記ネットワークモジュールから送信されたデジタルデータを受信するように構成された第２の通信部と、
計測システムの初期設定時に、前記ユーザ端末から送信された情報に基づいて通信に関する設定を前記第２の通信部に対して行うように構成された通信機能設定部とを備えることを特徴とするクラウドサーバ。
【請求項２０】
請求項１９記載のクラウドサーバにおいて、
前記ネットワークモジュールから受信した暗号化デジタルデータを復号するように構成された復号部と、
計測システムの初期設定時に、前記ユーザ端末から送信された情報に含まれる暗号化キーを前記復号部に対して設定するように構成された暗号化機能設定部とをさらに備え、
前記クラウドサーバの第１の通信部は、前記復号部によって復号されたデジタルデータを前記ユーザ端末に送信することを特徴とするクラウドサーバ。
【請求項２１】
請求項１９または２０記載のクラウドサーバにおいて、
前記ネットワークモジュールから受信したデジタルデータが示す値を、計測の対象となる量に換算するように構成された換算部と、
計測システムの初期設定時に、前記ユーザ端末から送信された情報に基づいて計測機能に関する設定を前記換算部に対して行うように構成された計測機能設定部とをさらに備え、
前記クラウドサーバの第１の通信部は、前記換算部によって換算されたデジタルデータを前記ユーザ端末に送信することを特徴とするクラウドサーバ。
【請求項２２】
請求項１９乃至２１のいずれか１項に記載のクラウドサーバにおいて、
前記計測装置のバッテリの交換時期を推定するように構成されたバッテリ寿命推定部と、
計測システムの初期設定時に、前記ユーザ端末から送信された情報に基づいて、前記センサおよび各モジュールの定格消費電力の情報と前記バッテリの容量の情報とを前記バッテリ寿命推定部に対して設定するように構成された電力管理機能設定部とをさらに備え、
前記クラウドサーバの第１の通信部は、前記バッテリの交換時期を示すデジタルデータを前記ユーザ端末に送信することを特徴とするクラウドサーバ。
【請求項２３】
請求項１９乃至２２のいずれか１項に記載のクラウドサーバにおいて、
前記センサの点検時期、交換時期を推定するように構成されたセンサ点検／交換時期推定部と、
計測システムの初期設定時に、前記ユーザ端末から送信された情報に基づいて、前記センサの点検間隔、利用可能期間の情報を前記センサ点検／交換時期推定部に対して設定するように構成されたセンサ管理機能設定部とをさらに備え、
前記クラウドサーバの第１の通信部は、前記センサの点検時期、交換時期を示すデジタルデータを前記ユーザ端末に送信することを特徴とするクラウドサーバ。
【請求項２４】
請求項１９乃至２３のいずれか１項に記載のクラウドサーバにおいて、
前記センサとモジュールの組み合わせが正しいかどうかを確認するように構成された組み合わせ確認部と、
計測システムの初期設定時に、前記ユーザ端末から送信された情報に基づいて組み合わせ確認機能に関する設定を前記組み合わせ確認部に対して行うように構成された組み合わせ確認機能設定部とをさらに備え、
前記クラウドサーバの第１の通信部は、前記組み合わせの確認結果を示すデジタルデータを前記ユーザ端末に送信することを特徴とするクラウドサーバ。
【発明の詳細な説明】
【技術分野】
【０００１】
本発明は、計測装置からのデータをクラウドサーバを介してユーザ端末に転送する計測システムに関するものである。
【背景技術】
【０００２】
従来、センサからの計測信号をＡＤ（Analog-to-Digital）変換して、ＡＤ変換後の計測データをＵＳＢ（Universal Serial Bus）ケーブルを介してコンピュータへ送るＵＳＢ変換器が提案されている（特許文献１参照）。
【０００３】
しかしながら、特許文献１に開示されたＵＳＢ変換器は、コンピュータからのコマンド信号に基づいて処理を行い、計測データをコンピュータへ送るものであり、ＵＳＢケーブルを介してコンピュータと接続する必要があった。
【０００４】
従来より、ＩｏＴ（Internet of Things）用のセンサおよび次世代の新しいセンサが開発されているが、社会実装に繋がるケースが少ない。その一つの要因として、ネットワークを介してデータを収集したり、制御したりするための計測システム構築の技術面と費用の課題があった。特許文献１に開示されたＵＳＢ変換器によれば、センサからの計測信号をデジタルデータに変換することができるが、コンピュータを利用する必要があり、またコンピュータからＵＳＢ変換器を制御するためのソフトウェアも必要となるので、汎用性がなく、手間と費用がかかるという課題があった。
【０００５】
また、特許文献２には、施設のエネルギー使用量を測定するセンサからデータを収集して、施設のエネルギー使用量を評価するシステムが開示されている。このような計測システムを構築するためには、例えばセンサや通信機器など各機器の専門知識が必要なため、システムを簡単に構築することは難しく、また構成機器の部分的な変更も難しいという課題があった。さらには、システムの構成機器の中にバッテリ駆動の機器がある場合、バッテリの選定作業やバッテリの交換時期の確認作業が必要になるという課題があった。
【先行技術文献】
【特許文献】
【０００６】
【特許文献１】特開２００７−２１３２６０号公報
【特許文献２】特表２０１４−５２３０１７号公報
【発明の概要】
【発明が解決しようとする課題】
【０００７】
本発明は、上記課題を解決するためになされたもので、多様なセンサに対応することができ、簡単かつ低コストで汎用性の高く機能更新が簡単で、システムの設定・変更を簡単に行うことができる計測システム、電子回路モジュール、ユーザ端末およびクラウドサーバを提供することを目的とする。
【課題を解決するための手段】
【０００８】
本発明の計測システム（第１〜第４の実施例）は、センサと複数の電子回路モジュールとを組み合わせた計測装置と、前記複数の電子回路モジュールに含まれるネットワークモジュールとネットワークを介して接続されるクラウドサーバと、このクラウドサーバと前記ネットワークを介して接続されるユーザ端末とを備え、前記センサと前記複数の電子回路モジュールとは、それぞれ筐体に付設されたシンボルおよび第１の近距離無線通信部のうち少なくとも一方を備え、前記ネットワークモジュールは、計測装置の計測結果を示すデジタルデータを前記クラウドサーバに送信するように構成された第１の通信部を備え、前記ユーザ端末は、計測システムの初期設定時に、前記センサと前記複数の電子回路モジュールのそれぞれのシンボルの読み取りにより前記センサと前記複数の電子回路モジュールのそれぞれの情報を取得するように構成された情報取得部、および前記センサと前記複数の電子回路モジュールのそれぞれの第１の近距離無線通信部との通信により前記センサと前記複数の電子回路モジュールのそれぞれの情報を取得するように構成された第２の近距離無線通信部のうち少なくとも一方と、前記情報取得部または前記第２の近距離無線通信部によって取得された情報を示すデジタルデータを前記クラウドサーバに送信し、前記クラウドサーバから送信されたデジタルデータを受信するように構成された第２の通信部と、前記クラウドサーバから送信されたデジタルデータが示す計測結果を表示するように構成された表示部とを備え、前記クラウドサーバは、前記ユーザ端末から送信されたデジタルデータを受信し、前記ネットワークモジュールから受信したデジタルデータを前記ユーザ端末に送信するように構成された第３の通信部と、前記ネットワークモジュールから送信されたデジタルデータを受信するように構成された第４の通信部と、計測システムの初期設定時に、前記ユーザ端末から送信された情報に基づいて通信に関する設定を前記第４の通信部に対して行うように構成された通信機能設定部とを備えることを特徴とするものである。
【０００９】
また、本発明の計測システムの１構成例（第１、第３の実施例）において、前記複数の電子回路モジュールに含まれるＡＤモジュールまたは暗号化モジュールは、計測装置の計測結果を示すデジタルデータを暗号化キーを用いて暗号化した暗号化デジタルデータを生成するように構成された暗号化部を備え、前記ネットワークモジュールの第１の通信部は、前記ＡＤモジュールまたは前記暗号化モジュールから受信した暗号化デジタルデータを前記クラウドサーバに送信し、前記クラウドサーバは、前記ネットワークモジュールから受信した暗号化デジタルデータを復号するように構成された復号部と、計測システムの初期設定時に、前記ユーザ端末から送信された情報に含まれる前記暗号化キーを前記復号部に対して設定するように構成された暗号化機能設定部とをさらに備え、前記クラウドサーバの第３の通信部は、前記復号部によって復号されたデジタルデータを前記ユーザ端末に送信することを特徴とするものである。
また、本発明の計測システムの１構成例（第１、第３の実施例）において、前記クラウドサーバは、前記ネットワークモジュールから受信したデジタルデータが示す値を、計測の対象となる量に換算するように構成された換算部と、計測システムの初期設定時に、前記ユーザ端末から送信された情報に基づいて計測機能に関する設定を前記換算部に対して行うように構成された計測機能設定部とをさらに備え、前記クラウドサーバの第３の通信部は、前記換算部によって換算されたデジタルデータを前記ユーザ端末に送信することを特徴とするものである。
【００１０】
また、本発明の計測システムの１構成例（第２の実施例）において、前記複数の電子回路モジュールに含まれるＡＤモジュールまたは暗号化モジュールは、計測装置の計測結果を示すデジタルデータを第１の暗号化キーを用いて暗号化し、さらに第２の暗号化キーを用いて暗号化した暗号化デジタルデータを生成するように構成された暗号化部を備え、前記ネットワークモジュールの第１の通信部は、前記ＡＤモジュールまたは前記暗号化モジュールから受信した暗号化デジタルデータを前記クラウドサーバに送信し、前記クラウドサーバは、前記ネットワークモジュールから受信した暗号化デジタルデータを復号するように構成された第１の復号部と、計測システムの初期設定時に、前記ユーザ端末から送信された情報に含まれる前記第２の暗号化キーを前記第１の復号部に対して設定するように構成された第１の暗号化機能設定部とをさらに備え、前記クラウドサーバの第３の通信部は、前記第１の復号部によって復号された暗号化デジタルデータを前記ユーザ端末に送信し、前記ユーザ端末は、前記クラウドサーバから送信された暗号化デジタルデータを復号するように構成された第２の復号部と、計測システムの初期設定時に、前記情報取得部または前記第２の近距離無線通信部によって取得された情報に含まれる前記第１の暗号化キーを前記第２の復号部に対して設定するように構成された第２の暗号化機能設定部とをさらに備え、前記ユーザ端末の表示部は、前記第２の復号部によって復号されたデジタルデータが示す計測結果を表示することを特徴とするものである。
【００１１】
また、本発明の計測システムの１構成例（第２の実施例）において、前記ユーザ端末は、前記第２の復号部によって復号されたデジタルデータが示す値を、計測の対象となる量に換算するように構成された換算部と、計測システムの初期設定時に、前記情報取得部または前記第２の近距離無線通信部によって取得された情報に基づいて計測機能に関する設定を前記換算部に対して行うように構成された計測機能設定部とをさらに備え、前記ユーザ端末の表示部は、前記換算部によって換算されたデジタルデータが示す計測結果を表示することを特徴とするものである。
また、本発明の計測システムの１構成例（第１〜第４の実施例）において、前記クラウドサーバは、前記計測装置のバッテリの交換時期を推定するように構成されたバッテリ寿命推定部と、計測システムの初期設定時に、前記ユーザ端末から送信された情報に基づいて、前記センサおよび各モジュールの定格消費電力の情報と前記バッテリの容量の情報とを前記バッテリ寿命推定部に対して設定するように構成された電力管理機能設定部とをさらに備え、前記クラウドサーバの第３の通信部は、前記バッテリの交換時期を示すデジタルデータを前記ユーザ端末に送信し、前記ユーザ端末の表示部は、前記クラウドサーバから受信したデジタルデータが示すバッテリの交換時期の情報を表示することを特徴とするものである。
【００１２】
また、本発明の計測システムの１構成例（第１〜第４の実施例）において、前記クラウドサーバは、前記センサの点検時期、交換時期を推定するように構成されたセンサ点検／交換時期推定部と、計測システムの初期設定時に、前記ユーザ端末から送信された情報に基づいて、前記センサの点検間隔、利用可能期間の情報を前記センサ点検／交換時期推定部に対して設定するように構成されたセンサ管理機能設定部とをさらに備え、前記クラウドサーバの第３の通信部は、前記センサの点検時期、交換時期を示すデジタルデータを前記ユーザ端末に送信し、前記ユーザ端末の表示部は、前記クラウドサーバから受信したデジタルデータが示すセンサの点検時期、交換時期の情報を表示することを特徴とするものである。
また、本発明の計測システムの１構成例（第１〜第４の実施例）において、前記クラウドサーバは、前記センサとモジュールの組み合わせが正しいかどうかを確認するように構成された組み合わせ確認部と、計測システムの初期設定時に、前記ユーザ端末から送信された情報に基づいて組み合わせ確認機能に関する設定を前記組み合わせ確認部に対して行うように構成された組み合わせ確認機能設定部とをさらに備え、前記クラウドサーバの第３の通信部は、前記組み合わせの確認結果を示すデジタルデータを前記ユーザ端末に送信し、前記ユーザ端末の表示部は、前記クラウドサーバから受信したデジタルデータが示す組み合わせの確認結果の情報を表示することを特徴とするものである。
【００１３】
また、本発明の計測システムの１構成例（第１、第２の実施例）において、前記計測装置は、計測の対象となる量を検出するセンサと、このセンサから入力されたアナログ信号をデジタルデータに変換するように構成されたＡＤモジュールと、外部の電源から受電した電力を前記ＡＤモジュールに供給し、前記デジタルデータを前記クラウドサーバに送信するように構成された前記ネットワークモジュールとから構成され、前記ＡＤモジュールは、第１の通信・受給電コネクタと、第２の通信・受給電コネクタと、前記第１の通信・受給電コネクタの電源端子と前記第２の通信・受給電コネクタの電源端子間を接続するように構成された第１の電源線と、前記第１の通信・受給電コネクタに接続されたセンサから入力されたアナログ信号を前記デジタルデータに変換するように構成されたＡＤ変換部とを備え、前記ネットワークモジュールは、前記ＡＤモジュールの第２の通信・受給電コネクタと着脱自在に嵌合する第３の通信・受給電コネクタと、前記電源と着脱自在に嵌合する第４の通信・受給電コネクタと、前記第３の通信・受給電コネクタの電源端子と前記第４の通信・受給電コネクタの電源端子間を接続するように構成された第２の電源線と、前記第３の通信・受給電コネクタを介して前記ＡＤモジュールから受信したデジタルデータを前記クラウドサーバに送信するように構成された前記第１の通信部とを備えることを特徴とするものである。
【００１４】
また、本発明の計測システムの１構成例（第３の実施例）において、前記計測装置は、計測の対象となる量を検出するセンサと、センサから入力されたアナログ信号をデジタルデータに変換するように構成されたＡＤモジュールと、他のモジュールから受電した電力を前記ＡＤモジュールに供給し、前記デジタルデータを暗号化した暗号化デジタルデータを生成するように構成された暗号化モジュールと、外部の電源から受電した電力を前記暗号化モジュールに供給し、前記暗号化デジタルデータを前記クラウドサーバに送信するように構成された前記ネットワークモジュールとから構成され、前記ＡＤモジュールは、第１の通信・受給電コネクタと、第２の通信・受給電コネクタと、前記第１の通信・受給電コネクタの電源端子と前記第２の通信・受給電コネクタの電源端子間を接続するように構成された第１の電源線と、前記第１の通信・受給電コネクタに接続されたセンサから入力されたアナログ信号を前記デジタルデータに変換するように構成されたＡＤ変換部とを備え、前記暗号化モジュールは、前記ＡＤモジュールの第２の通信・受給電コネクタと着脱自在に嵌合する第３の通信・受給電コネクタと、前記ネットワークモジュールの通信・受給電コネクタと着脱自在に嵌合する第４の通信・受給電コネクタと、前記第３の通信・受給電コネクタの電源端子と前記第４の通信・受給電コネクタの電源端子間を接続するように構成された第２の電源線と、前記第３の通信・受給電コネクタを介して前記ＡＤモジュールから受信したデジタルデータを暗号化した暗号化デジタルデータを生成するように構成された暗号化部とを備え、前記ネットワークモジュールは、前記暗号化モジュールの第４の通信・受給電コネクタと着脱自在に嵌合する第５の通信・受給電コネクタと、前記電源と着脱自在に嵌合する第６の通信・受給電コネクタと、前記第５の通信・受給電コネクタの電源端子と前記第６の通信・受給電コネクタの電源端子間を接続するように構成された第３の電源線と、前記第５の通信・受給電コネクタを介して前記暗号化モジュールから受信した暗号化デジタルデータを前記クラウドサーバに送信するように構成された前記第１の通信部とを備えることを特徴とするものである。
【００１５】
また、本発明の電子回路モジュール（第１〜第４の実施例）は、センサの通信・受給電コネクタと着脱自在に嵌合する、前記センサからの信号入力用の第１の通信・受給電コネクタと、他のモジュールの通信・受給電コネクタと着脱自在に嵌合する、前記他のモジュールとのデータ通信および受電用の第２の通信・受給電コネクタと、前記第１の通信・受給電コネクタの電源端子と前記第２の通信・受給電コネクタの電源端子間を接続するように構成された電源線と、前記第１の通信・受給電コネクタに接続されたセンサから入力されたアナログ信号をデジタルデータに変換するように構成されたＡＤ変換部と、前記デジタルデータを前記第２の通信・受給電コネクタを介して前記他のモジュールに送信するように構成されたデータ送信部と、電子回路モジュールの情報を示すシンボル、および電子回路モジュールの情報を外部に送信するように構成された近距離無線通信部のうち少なくとも一方とを備えることを特徴とするものである。
また、本発明の電子回路モジュールの１構成例（第１の実施例）は、前記デジタルデータを暗号化した暗号化デジタルデータを生成するように構成された暗号化部をさらに備え、前記データ送信部は、前記暗号化デジタルデータを前記第２の通信・受給電コネクタを介して前記他のモジュールに送信することを特徴とするものである。
【００１６】
また、本発明の電子回路モジュール（第３の実施例）は、他の第１のモジュールの通信・受給電コネクタと着脱自在に嵌合する、前記第１のモジュールとのデータ通信および給電用の第１の通信・受給電コネクタと、他の第２のモジュールの通信・受給電コネクタと着脱自在に嵌合する、前記第２のモジュールとのデータ通信および受電用の第２の通信・受給電コネクタと、前記第１の通信・受給電コネクタの電源端子と前記第２の通信・受給電コネクタの電源端子間を接続するように構成された電源線と、前記第１の通信・受給電コネクタを介して前記第１のモジュールから受信したデジタルデータを暗号化した暗号化デジタルデータを生成するように構成された暗号化部と、前記暗号化デジタルデータを前記第２の通信・受給電コネクタを介して前記第２のモジュールに送信するように構成されたデータ送信部と、電子回路モジュールの情報を示すシンボル、および電子回路モジュールの情報を外部に送信するように構成された近距離無線通信部のうち少なくとも一方とを備えることを特徴とするものである。
また、本発明の電子回路モジュール（第１〜第４の実施例）は、他のモジュールの通信・受給電コネクタと着脱自在に嵌合する、前記他のモジュールとのデータ通信および給電用の第１の通信・受給電コネクタと、外部の電源の通信・受給電コネクタと着脱自在に嵌合する、前記電源からの受電用の第２の通信・受給電コネクタと、前記第１の通信・受給電コネクタの電源端子と前記第２の通信・受給電コネクタの電源端子間を接続するように構成された電源線と、前記第１の通信・受給電コネクタを介して前記他のモジュールから受信したデータを外部へ無線送信または有線送信するように構成された通信部と、電子回路モジュールの情報を示すシンボル、および電子回路モジュールの情報を外部に送信するように構成された近距離無線通信部のうち少なくとも一方とを備えることを特徴とするものである。
【００１７】
また、本発明は、センサと複数の電子回路モジュールとを組み合わせた計測装置の計測結果をクラウドサーバを介して受信するユーザ端末において、計測システムの初期設定時に、前記センサと前記複数の電子回路モジュールのそれぞれのシンボルの読み取りにより前記センサと前記複数の電子回路モジュールのそれぞれの情報を取得するように構成された情報取得部、および前記センサと前記複数の電子回路モジュールのそれぞれとの近距離無線通信により前記センサと前記複数の電子回路モジュールのそれぞれの情報を取得するように構成された近距離無線通信部のうち少なくとも一方と、前記情報取得部または前記近距離無線通信部によって取得された情報を示すデジタルデータを計測システムの初期設定用に前記クラウドサーバに送信し、前記クラウドサーバから送信されたデジタルデータを受信するように構成された通信部と、前記クラウドサーバから送信されたデジタルデータが示す計測結果を表示するように構成された表示部とを備えることを特徴とするものである。
また、本発明のユーザ端末の１構成例は、前記計測装置のバッテリの交換時期を推定するように構成されたバッテリ寿命推定部と、計測システムの初期設定時に、前記情報取得部または前記近距離無線通信部によって取得された情報に基づいて、前記センサおよび各モジュールの定格消費電力の情報と前記バッテリの容量の情報とを前記バッテリ寿命推定部に対して設定するように構成された電力管理機能設定部とをさらに備え、前記表示部は、前記バッテリ寿命推定部によって推定されたバッテリの交換時期の情報を表示することを特徴とするものである。
【００１８】
また、本発明のユーザ端末の１構成例は、前記センサの点検時期、交換時期を推定するように構成されたセンサ点検／交換時期推定部と、計測システムの初期設定時に、前記情報取得部または前記近距離無線通信部によって取得された情報に基づいて、前記センサの点検間隔、利用可能期間の情報を前記センサ点検／交換時期推定部に対して設定するように構成されたセンサ管理機能設定部とをさらに備え、前記表示部は、前記センサ点検／交換時期推定部によって推定されたセンサの点検時期、交換時期の情報を表示することを特徴とするものである。
また、本発明のユーザ端末の１構成例は、前記センサとモジュールの組み合わせが正しいかどうかを確認するように構成された組み合わせ確認部と、計測システムの初期設定時に、前記情報取得部または前記近距離無線通信部によって取得された情報に基づいて、組み合わせ確認機能に関する設定を前記組み合わせ確認部に対して行うように構成された組み合わせ確認機能設定部とをさらに備え、前記表示部は、前記組み合わせ確認部によって得られた前記組み合わせの確認結果の情報を表示することを特徴とするものである。
【００１９】
また、本発明は、センサと複数の電子回路モジュールとを組み合わせた計測装置と、ユーザ端末とを仲介するクラウドサーバにおいて、前記センサと前記複数の電子回路モジュールのそれぞれの情報を示すデジタルデータを前記ユーザ端末から受信し、前記複数の電子回路モジュールに含まれるネットワークモジュールから受信したデジタルデータを前記ユーザ端末に送信するように構成された第１の通信部と、前記ネットワークモジュールから送信されたデジタルデータを受信するように構成された第２の通信部と、計測システムの初期設定時に、前記ユーザ端末から送信された情報に基づいて通信に関する設定を前記第２の通信部に対して行うように構成された通信機能設定部とを備えることを特徴とするものである。
また、本発明のクラウドサーバの１構成例は、前記ネットワークモジュールから受信した暗号化デジタルデータを復号するように構成された復号部と、計測システムの初期設定時に、前記ユーザ端末から送信された情報に含まれる暗号化キーを前記復号部に対して設定するように構成された暗号化機能設定部とをさらに備え、前記クラウドサーバの第１の通信部は、前記復号部によって復号されたデジタルデータを前記ユーザ端末に送信することを特徴とするものである。
【００２０】
また、本発明のクラウドサーバの１構成例は、前記ネットワークモジュールから受信したデジタルデータが示す値を、計測の対象となる量に換算するように構成された換算部と、計測システムの初期設定時に、前記ユーザ端末から送信された情報に基づいて計測機能に関する設定を前記換算部に対して行うように構成された計測機能設定部とをさらに備え、前記クラウドサーバの第１の通信部は、前記換算部によって換算されたデジタルデータを前記ユーザ端末に送信することを特徴とするものである。
また、本発明のクラウドサーバの１構成例は、前記計測装置のバッテリの交換時期を推定するように構成されたバッテリ寿命推定部と、計測システムの初期設定時に、前記ユーザ端末から送信された情報に基づいて、前記センサおよび各モジュールの定格消費電力の情報と前記バッテリの容量の情報とを前記バッテリ寿命推定部に対して設定するように構成された電力管理機能設定部とをさらに備え、前記クラウドサーバの第１の通信部は、前記バッテリの交換時期を示すデジタルデータを前記ユーザ端末に送信することを特徴とするものである。
【００２１】
また、本発明のクラウドサーバの１構成例は、前記センサの点検時期、交換時期を推定するように構成されたセンサ点検／交換時期推定部と、計測システムの初期設定時に、前記ユーザ端末から送信された情報に基づいて、前記センサの点検間隔、利用可能期間の情報を前記センサ点検／交換時期推定部に対して設定するように構成されたセンサ管理機能設定部とをさらに備え、前記クラウドサーバの第１の通信部は、前記センサの点検時期、交換時期を示すデジタルデータを前記ユーザ端末に送信することを特徴とするものである。
また、本発明のクラウドサーバの１構成例は、前記センサとモジュールの組み合わせが正しいかどうかを確認するように構成された組み合わせ確認部と、計測システムの初期設定時に、前記ユーザ端末から送信された情報に基づいて組み合わせ確認機能に関する設定を前記組み合わせ確認部に対して行うように構成された組み合わせ確認機能設定部とをさらに備え、前記クラウドサーバの第１の通信部は、前記組み合わせの確認結果を示すデジタルデータを前記ユーザ端末に送信することを特徴とするものである。
【発明の効果】
【００２２】
本発明によれば、センサと複数の電子回路モジュールとを組み合わせた計測装置の構成とすることにより、センサから入力された信号を自動的にＡＤ変換することができ、多様なセンサに対応することができ、汎用性の高い計測システムを簡単かつ低コストで実現することができ、社会実装に繋げることができる。また、本発明では、デジタルデータを別の無線通信規格または有線通信規格で送信したい場合に、その無線通信規格または有線通信規格に対応したネットワークモジュールに交換することで、無線通信規格または有線通信規格を簡単に切り替えることができる。また、本発明では、計測システムの初期設定時に、センサと複数の電子回路モジュールのそれぞれのシンボルの読み取り、またはセンサと複数の電子回路モジュールのそれぞれの第１の近距離無線通信部との通信により、センサと複数の電子回路モジュールのそれぞれの情報を取得するだけで、この情報がユーザ端末からクラウドサーバに転送され、計測システムの初期設定が自動的に行われるので、計測システムを短時間で稼働状態とすることができ、対象となる量の計測を直ちに開始することができる。また、本発明では、計測装置の構成を変更する場合、変更したセンサやモジュールのシンボルの読み取り、または変更したセンサやモジュールの第１の近距離無線通信部との通信により、変更したセンサやモジュールの情報を取得することができ、計測システムの設定を簡単に変更することができる。また、本発明では、ユーザ端末のユーザに計測装置のバッテリの交換時期の情報を提供することができるので、ユーザは、計測装置の電源としてバッテリを使用する場合に、最適なバッテリを選定したり、バッテリの交換時期が迫っているときにバッテリを交換したりすることが可能となる。
【図面の簡単な説明】
【００２３】
【図１】図１は、本発明の第１の実施例に係る計測システムの構成を示すブロック図である。
【図２】図２は、本発明の第１の実施例に係る計測装置の構成を示す図である。
【図３】図３は、本発明の第１の実施例に係るＡＤモジュールの構成を示すブロック図である。
【図４】図４は、本発明の第１の実施例に係るネットワークモジュールの構成を示すブロック図である。
【図５】図５は、本発明の第１の実施例に係るクラウドサーバの構成を示すブロック図である。
【図６】図６は、本発明の第１の実施例に係るユーザ端末の構成を示すブロック図である。
【図７】図７は、本発明の第１の実施例における計測システムの初期設定時のユーザ端末の動作を説明するフローチャートである。
【図８】図８は、本発明の第１の実施例における計測システムの初期設定時のクラウドサーバの動作を説明するフローチャートである。
【図９】図９は、本発明の第１の実施例における計測システムの初期設定の方法を説明する図である。
【図１０】図１０は、本発明の第１の実施例に係るＡＤモジュールのセンサからの入力処理を説明するフローチャートである。
【図１１】図１１は、本発明の第１の実施例に係るＡＤモジュールのネットワークモジュールとの通信処理を説明するフローチャートである。
【図１２】図１２は、本発明の第１の実施例に係るネットワークモジュールのＡＤモジュールとの通信処理を説明するフローチャートである。
【図１３】図１３は、本発明の第１の実施例に係るネットワークモジュールのクラウドサーバとの通信処理を説明するフローチャートである。
【図１４】図１４は、本発明の第１の実施例に係るクラウドサーバのネットワークモジュールとの通信処理を説明するフローチャートである。
【図１５】図１５は、本発明の第１の実施例に係るクラウドサーバのユーザ端末との通信処理を説明するフローチャートである。
【図１６】図１６は、本発明の第１の実施例に係るユーザ端末のクラウドサーバとの通信処理を説明するフローチャートである。
【図１７】図１７は、本発明の第１の実施例に係るセンサの構成を示すブロック図である。
【図１８】図１８は、本発明の第１の実施例における計測システムの初期設定時のユーザ端末の近距離無線通信部を用いた動作を説明するフローチャートである。
【図１９】図１９は、本発明の第１の実施例における計測システムの初期設定時のセンサの動作を説明するフローチャートである。
【図２０】図２０は、本発明の第２の実施例における計測システムの初期設定時のユーザ端末の動作を説明するフローチャートである。
【図２１】図２１は、本発明の第２の実施例における計測システムの初期設定時のクラウドサーバの動作を説明するフローチャートである。
【図２２】図２２は、本発明の第２の実施例に係るＡＤモジュールのセンサからの入力処理を説明するフローチャートである。
【図２３】図２３は、本発明の第２の実施例に係るＡＤモジュールのネットワークモジュールとの通信処理を説明するフローチャートである。
【図２４】図２４は、本発明の第２の実施例に係るクラウドサーバのネットワークモジュールとの通信処理を説明するフローチャートである。
【図２５】図２５は、本発明の第２の実施例に係るクラウドサーバのユーザ端末との通信処理を説明するフローチャートである。
【図２６】図２６は、本発明の第２の実施例に係るユーザ端末の動作を説明するフローチャートである。
【図２７】図２７は、本発明の第３の実施例に係る計測装置の構成を示す図である。
【図２８】図２８は、本発明の第３の実施例に係るＡＤモジュールの構成を示すブロック図である。
【図２９】図２９は、本発明の第３の実施例に係るＡＤモジュールのセンサからの入力処理を説明するフローチャートである。
【図３０】図３０は、本発明の第３の実施例に係るＡＤモジュールの暗号化モジュールとの通信処理を説明するフローチャートである。
【図３１】図３１は、本発明の第３の実施例に係る暗号化モジュールの構成を示すブロック図である。
【図３２】図３２は、本発明の第３の実施例に係る暗号化モジュールのＡＤモジュールとの通信処理を説明するフローチャートである。
【図３３】図３３は、本発明の第３の実施例に係る暗号化モジュールのネットワークモジュールとの通信処理を説明するフローチャートである。
【図３４】図３４は、本発明の第４の実施例に係る電子回路モジュールであるストレージモジュールを示す図である。
【図３５】図３５は、本発明の第４の実施例に係るストレージモジュールの構成を示すブロック図である。
【図３６】図３６は、通信・受給電メスコネクタ側に接続される他のモジュールと本発明の第４の実施例に係るストレージモジュールとの通信処理を説明するフローチャートである。
【図３７】図３７は、通信・受給電オスコネクタ側に接続される他のモジュールと本発明の第４の実施例に係るストレージモジュールとの通信処理を説明するフローチャートである。
【図３８】図３８は、本発明の第５の実施例に係るユーザ端末の構成を示すブロック図である。
【図３９】図３９は、本発明の第５の実施例における計測システムの初期設定時のユーザ端末の動作を説明するフローチャートである。
【図４０】図４０は、本発明の第５の実施例における計測システムの初期設定時のユーザ端末の近距離無線通信部を用いた動作を説明するフローチャートである。
【図４１】図４１は、本発明の第５の実施例における計測システムの初期設定時のクラウドサーバの動作を説明するフローチャートである。
【発明を実施するための形態】
【００２４】
［第１の実施例］
以下、本発明の実施例について図面を参照して説明する。図１は本発明の第１の実施例に係る計測システムの構成を示すブロック図である。本実施例の計測システムは、センサと複数の電子回路モジュールとを組み合わせた計測装置１００と、計測装置１００から送信されたデジタルデータを受信するクラウドサーバ１０１と、計測装置１００の計測結果を受信するスマートフォンなどのユーザ端末１０２と、計測装置１００とクラウドサーバ１０１との間、およびクラウドサーバ１０１とユーザ端末１０２との間を接続するネットワーク１０３とから構成される。
【００２５】
後述する計測装置１００は、センサの計測結果をＡＤ変換して暗号化した暗号化デジタルデータをネットワーク１０３を介してクラウドサーバ１０１に送信する。
クラウドサーバ１０１は、暗号化デジタルデータを復号し、復号後のデジタルデータ（センサの計測結果）を蓄積したり、センサの計測結果をネットワーク１０３を介してユーザ端末１０２に送信したりする。また、暗号化デジタルデータをユーザ端末１０２に送信して、ユーザ端末１０２側で暗号化デジタルデータを復号することも可能である。
【００２６】
以上のような計測システムを構築するためには、計測装置１００の各構成機器の情報をクラウドサーバ１０１に送信し、計測装置１００とクラウドサーバ１０１との間でデータの送受信ができるようにクラウドサーバ１０１を設定する必要がある。
このようなシステム構築の方法を説明する前に、本実施例の計測装置１００とクラウドサーバ１０１とユーザ端末１０２の構成について説明する。
【００２７】
図２（Ａ）〜図２（Ｃ）は本実施例に係る計測装置１００の構成を示す図である。図２（Ａ）は計測装置１００を構成する電子回路モジュールであるＡＤモジュール１とネットワークモジュール（以下、ＮＷモジュール）２の個々の外観を示し、図２（Ｂ）はＡＤモジュール１とＮＷモジュール２とを接続した状態を示し、図２（Ｃ）はさらにＡＤモジュール１にセンサ３のコネクタを接続し、ＮＷモジュール２に電源４を接続した状態を示している。
【００２８】
ＡＤモジュール１は、センサ３の通信・受給電コネクタと着脱自在に嵌合する、センサ３からの信号入力および給電用の通信・受給電メスコネクタ１０と、ＮＷモジュール２の通信・受給電コネクタと着脱自在に嵌合する、ＮＷモジュール２とのデータ通信および受電用の通信・受給電オスコネクタ１１と、ＡＤモジュール１の筐体に付設された２次元シンボルであるＱＲコード（登録商標）１７とを備えている。ＡＤモジュール１は、通信・受給電メスコネクタ１０から入力されたアナログ信号をＡＤ変換し、ＡＤ変換後のデジタルデータをさらに暗号化して、暗号化デジタルデータを蓄積する機能と、通信・受給電オスコネクタ１１（または通信・受給電メスコネクタ１０）から受電する機能と、受電した電力を通信・受給電メスコネクタ１０（または通信・受給電オスコネクタ１１）を介して外部へ給電する機能とを有している。
【００２９】
ＮＷモジュール２は、ＡＤモジュール１の通信・受給電オスコネクタ１１と着脱自在に嵌合する、ＡＤモジュール１とのデータ通信および給電用の通信・受給電メスコネクタ２０と、電源４の通信・受給電コネクタと着脱自在に嵌合する、電源４からの受電用の通信・受給電オスコネクタ２１と、無線通信用のアンテナ２２と、有線通信用の通信コネクタ２８と、ＮＷモジュール２の筐体に付設されたＱＲコード３６とを備えている。ＮＷモジュール２は、通信・受給電メスコネクタ２０に接続されたモジュール（ＡＤモジュール１）からデータを読み出して、データをネットワークを介して外部へ無線送信または有線送信する機能と、通信・受給電オスコネクタ２１（または通信・受給電メスコネクタ２０）から受電する機能と、受電した電力を通信・受給電メスコネクタ２０（または通信・受給電オスコネクタ２１）を介して外部へ給電する機能とを有している。
【００３０】
このように、ＡＤモジュール１とＮＷモジュール２とは、それぞれ同一規格のオスとメスのコネクタを備えており、ＡＤモジュール１の通信・受給電オスコネクタ１１をＮＷモジュール２の通信・受給電メスコネクタ２０に挿入することで、図２（Ｂ）に示すようにＡＤモジュール１とＮＷモジュール２とを接続することが可能である。
【００３１】
さらに、図２（Ｃ）に示すように、センサ３の通信・受給電オスコネクタ３０をＡＤモジュール１の通信・受給電メスコネクタ１０に挿入することで、センサ３とＡＤモジュール１とを接続することが可能であり、ＮＷモジュール２の通信・受給電オスコネクタ２１を電源４の通信・受給電メスコネクタ４０に挿入することで、ＮＷモジュール２と電源４とを接続することが可能である。センサ３の筐体には、ＱＲコード３５が付設されている。電源４の筐体には、ＱＲコード４１が付設されている。
【００３２】
ＮＷモジュール２は、電源４から電力供給を受けて動作すると共に、電源４から受電した電力を通信・受給電メスコネクタ２０を介してＡＤモジュール１に供給する。電源４としては、通信・受給電メスコネクタ４０を備え、ＡＤモジュール１とＮＷモジュール２（あるいはＡＤモジュール１とＮＷモジュール２とセンサ３）の動作に必要な電力容量を備えるものであれば、特に制限なく使用することができる。
【００３３】
通信・受給電メスコネクタ１０，２０，４０および通信・受給電オスコネクタ１１，２１，３０の例としては、例えばＵＳＢコネクタがある。
こうして、センサ３とＡＤモジュール１とＮＷモジュール２と電源４とを接続することにより、計測装置１００を組み立てることができる。
【００３４】
次に、ＡＤモジュール１とＮＷモジュール２の構成をより詳細に説明する。図３はＡＤモジュール１の構成を示すブロック図である。ＡＤモジュール１は、通信・受給電メスコネクタ１０と、通信・受給電オスコネクタ１１と、通信・受給電メスコネクタ１０または通信・受給電オスコネクタ１１を通じた信号の送受信を制御するＵＳＢコントローラ１２と、ＡＤ変換部１３と、ＣＰＵ（Central Processing Unit）１４と、メモリ１５と、ＮＦＣ（Near Field Communication）またはＢｌｕｅｔｏｏｔｈ（登録商標）等の近距離無線通信用のアンテナ１５０と、近距離無線通信用の通信回路１５１とを備えている。
【００３５】
ＡＤモジュール１の電源線には、通信・受給電メスコネクタ１０のプラス側の電源端子（ＶＢＵＳ）と通信・受給電オスコネクタ１１のプラス側の電源端子（ＶＢＵＳ）とを接続するプラス側の電源線１６と、通信・受給電メスコネクタ１０のＧＮＤ端子と通信・受給電オスコネクタ１１のＧＮＤ端子とを接続するマイナス側の電源線とがあるが、図３ではマイナス側の電源線の記載を省略している。
【００３６】
ＣＰＵ１４は、メモリ１５に格納されたプログラムに従って本実施例で説明する処理を実行し、暗号化部１４０とデータ送信部１４１とデータ読出部１４２とデータ補正部１４３とパラメータ設定部１４４とタイムスタンプ付加部１４５と温度データ付加部１４６と位置データ付加部１４７と復号部１４９と近距離無線通信部１５２として機能する。ＵＳＢコントローラ１２とＡＤ変換部１３とＣＰＵ１４とメモリ１５と通信回路１５１とは、通信・受給電オスコネクタ１１または通信・受給電メスコネクタ１０から電力供給を受けて動作する。
【００３７】
次に、ＮＷモジュール２の構成を図４を参照して説明する。ＮＷモジュール２は、通信・受給電メスコネクタ２０と、通信・受給電オスコネクタ２１と、アンテナ２２と、通信・受給電メスコネクタ２０または通信・受給電オスコネクタ２１を通じた信号の送受信を制御するＵＳＢコントローラ２３と、ＣＰＵ２４と、メモリ２５と、無線通信用の通信回路２６と、通信コネクタ２８と、有線通信用の通信回路２９と、近距離無線通信用のアンテナ２４５と、近距離無線通信用の通信回路２４６とを備えている。
【００３８】
ＡＤモジュール１の場合と同様に、ＮＷモジュール２の電源線には、通信・受給電メスコネクタ２０のプラス側の電源端子（ＶＢＵＳ）と通信・受給電オスコネクタ２１のプラス側の電源端子（ＶＢＵＳ）とを接続するプラス側の電源線２７と、通信・受給電メスコネクタ２０のＧＮＤ端子と通信・受給電オスコネクタ２１のＧＮＤ端子とを接続するマイナス側の電源線とがあるが、図４ではマイナス側の電源線の記載を省略している。
【００３９】
ＣＰＵ２４は、メモリ２５に格納されたプログラムに従って本実施例で説明する処理を実行し、データ読出部２４０と通信部２４１とデータ受信部２４２とパラメータ設定部２４３とデータ送信部２４４と近距離無線通信部２４７として機能する。ＵＳＢコントローラ２３とＣＰＵ２４とメモリ２５と通信回路２６，２９，２４６とは、通信・受給電オスコネクタ２１または通信・受給電メスコネクタ２０から電力供給を受けて動作する。
【００４０】
次に、クラウドサーバ１０１の構成を図５を参照して説明する。クラウドサーバ１０１は、ＣＰＵ１０００と、メモリ１００１と、無線通信または有線通信用の通信回路１００２とを備えている。
ＣＰＵ１０００は、メモリ１００１に格納されたプログラムに従って本実施例で説明する処理を実行し、通信部１００３と通信機能設定部１００４と暗号化機能設定部１００５と計測機能設定部１００６と復号部１００７と暗号化部１００８と換算部１００９とデータ補正部１０１０と通信部１０１１とパラメータ設定部１０１２と電力管理機能設定部１０１３とバッテリ寿命推定部１０１４と復号部１０１５と暗号化部１０１６とセンサ管理機能設定部１０１７とセンサ点検／交換時期推定部１０１８と組み合わせ確認機能設定部１０１９と組み合わせ確認部１０６０として機能する。
【００４１】
次に、ユーザ端末１０２の構成を図６を参照して説明する。ユーザ端末１０２は、ＣＰＵ１０２０と、メモリ１０２１と、クラウドサーバ１０１との通信用のアンテナ１０２２と、クラウドサーバ１０１との通信用の通信回路１０２３と、タッチパネル機能付きの表示器１０２４と、カメラ１０２５と、ＮＦＣまたはＢｌｕｅｔｏｏｔｈ等の近距離無線通信用のアンテナ１０３５と、近距離無線通信用の通信回路１０３６とを備えている。
【００４２】
ＣＰＵ１０２０は、メモリ１０２１に格納されたプログラムに従って本実施例で説明する処理を実行し、通信部１０２６と復号部１０２７と暗号化部１０２８と換算部１０２９とデータ補正部１０３０と表示部１０３１と画像取得部１０３２と情報取得部１０３３と情報転送部１０３４と近距離無線通信部１０３７と暗号化機能設定部１０３８と計測機能設定部１０３９として機能する。
【００４３】
次に、本実施例の計測システムの初期設定の方法について説明する。上記のとおり、センサ３の筐体にはＱＲコード３５が付設され、ＡＤモジュール１の筐体にはＱＲコード１７が付設され、ＮＷモジュール２の筐体にはＱＲコード３６が付設され、電源４の筐体にはＱＲコード４１が付設されている。
【００４４】
センサ３のＱＲコード３５が示す情報としては、センサ３のＩＤ（識別情報）、センサ３が計測する量の種類（温度、湿度、圧力、加速度、震度、降水量、酸化還元量など）を示す計測量タイプ、センサ３の出力信号の種類（電圧、電流）を示す出力信号タイプ、換算式、出力信号範囲、補正パラメータ（ゼロスパン、レシオ、バイアス、温度特性など）、センサ３の定格消費電力（センサ３が電源４からの電力供給を受ける場合の消費電力）、点検間隔、利用可能期間などがある。
なお、センサ３が計測する量は、物理量だけでなく、地震の震度、降水量、酸化還元量など様々な量が対象となる。
【００４５】
ＡＤモジュール１のＱＲコード１７が示す情報としては、ＡＤモジュール１のＩＤ、ＡＤモジュール１の入力信号の種類（電圧、電流）を示す入力信号タイプ、入力範囲（ゼロスパン）、ＡＤ変換周期、分解能、出力データビット数、補正パラメータ（ゼロスパン、レシオ、バイアス、温度特性など）、暗号化キー、ＡＤモジュール１の定格消費電力などがある。
【００４６】
ＮＷモジュール２のＱＲコード３６が示す情報としては、ＮＷモジュール２のＩＤ、通信プロトコル、ＮＷモジュール２のネットワークアドレス、読出しデータビット数、転送間隔、ＮＷモジュール２の定格消費電力などがある。
電源４のＱＲコード４１が示す情報としては、電源４（バッテリ）のＩＤ、容量などがある。
【００４７】
図７は計測システムの初期設定時のユーザ端末１０２の動作を説明するフローチャート、図８は計測システムの初期設定時のクラウドサーバ１０１の動作を説明するフローチャートである。
なお、ユーザ端末１０２とクラウドサーバ１０１との間では事前に通信設定が完了し、接続が確立しているものとする。この接続の確立に必要な、クラウドサーバ１０１によるユーザ端末１０２の認証等の処理は周知の技術であるので、詳細に説明は省略する。
【００４８】
計測システムを構築しようとするユーザは、図９に示すように、センサ３のＱＲコード３５にユーザ端末１０２を近づけて、ＱＲコード３５をユーザ端末１０２のカメラ１０２５によって読み取る（図７ステップＳ１０）。
ユーザ端末１０２の画像取得部１０３２は、カメラ１０２５によって撮影された画像を取得する（図７ステップＳ１１）。
【００４９】
ユーザ端末１０２の情報取得部１０３３は、画像取得部１０３２が取得した画像を解読して、ＱＲコード３５が示す情報を取得する（図７ステップＳ１２）。
ユーザ端末１０２の暗号化部１０２８は、情報取得部１０３３が取得した情報を所定の暗号化キーＫａ（ユーザ端末１０２とクラウドサーバ１０１との間の暗号化通信用の暗号化キー）を用いて暗号化し、暗号化デジタルデータをメモリ１０２１に書き込む（図７ステップＳ１３）。
【００５０】
ユーザ端末１０２の通信部１０２６は、暗号化デジタルデータの送信タイミングになったときに（図７ステップＳ１４においてＹＥＳ）、メモリ１０２１から暗号化デジタルデータを取り出して通信回路１０２３に渡す。
ユーザ端末１０２の通信回路１０２３は、通信部１０２６から渡された暗号化デジタルデータを無線信号に変換して、アンテナ１０２２からネットワーク上のクラウドサーバ１０１宛に無線送信する（図７ステップＳ１５）。
【００５１】
以上のようなステップＳ１０〜Ｓ１５の処理が、センサ３のＱＲコード３５、ＡＤモジュール１のＱＲコード１７、ＮＷモジュール２のＱＲコード３６、電源４のＱＲコード４１のそれぞれについて行なわれる。
なお、本実施例のＱＲコード１７，３５，３６，４１は、一般のＱＲリーダで読み取っても情報が読み取りできないことが望ましい。そこで、ＱＲコード１７，３５，３６，４１が示す情報は、所定のＱＲコード暗号化キーを用いて暗号化されていることが望ましい。この場合、ユーザ端末１０２の情報取得部１０３３は、画像取得部１０３２が取得した画像から得られたデータを、ＱＲコード暗号化キーを用いて復号して情報を得ることになる。
【００５２】
次に、クラウドサーバ１０１の通信部１００３は、ネットワーク１０３および通信回路１００２を介してユーザ端末１０２から暗号化デジタルデータを受信したときに（図８ステップＳ２０においてＹＥＳ）、この暗号化デジタルデータをメモリ１００１に書き込む（図８ステップＳ２１）。
【００５３】
クラウドサーバ１０１の復号部１００７は、通信部１００３によって受信されメモリ１００１に格納された暗号化デジタルデータを暗号化キーＫａを用いて復号し（図８ステップＳ２２）、復号した情報をメモリ１００１に書き込む（図８ステップＳ２３）。暗号化キーＫａは、事前に復号部１００７と暗号化部１００８とに設定されているものとする。
【００５４】
クラウドサーバ１０１の通信機能設定部１００４は、復号部１００７によって復号された情報の中に、ＮＷモジュール２のＱＲコード３６から読み取られた情報が含まれている場合（図８ステップＳ２４においてＹＥＳ）、この情報に基づいてＮＷモジュール２との通信に関する設定を、通信部１０１１と通信回路１００２とに対して行う（図８ステップＳ２５）。この設定により、ＮＷモジュール２との通信を行うことが可能になる。
【００５５】
また、クラウドサーバ１０１の暗号化機能設定部１００５は、復号部１００７によって復号された情報の中に、ＡＤモジュール１のＱＲコード１７から読み取られた暗号化キーＫｂ（クラウドサーバ１０１およびＡＤモジュール１で暗号化／復号するためのＡＤ変換後デジタルデータ用暗号化キー）が含まれている場合（図８ステップＳ２６においてＹＥＳ）、この暗号化キーを復号部１０１５と暗号化部１０１６とに対して設定する（図８ステップＳ２７）。この設定により、計測装置１００とクラウドサーバ１０１との間でデータの暗号化／復号を行うことが可能になる。
【００５６】
また、クラウドサーバ１０１の計測機能設定部１００６は、復号部１００７によって復号された情報の中に、センサ３のＱＲコード３５から読み取られた情報（ＩＤ、計測量タイプ、出力信号タイプ、換算式、出力信号範囲、補正パラメータなど）、ＡＤモジュール１のＱＲコード１７から読み取られた情報（ＩＤ、入力信号タイプ、入力範囲、ＡＤ変換周期、分解能、出力データビット数、補正パラメータなど）が含まれている場合（図８ステップＳ２８においてＹＥＳ）、これらの情報に基づいて計測機能に関する設定を、換算部１００９とデータ補正部１０１０とに対して行う（図８ステップＳ２９）。
【００５７】
計測機能としては、センサ３によって計測され、ＡＤモジュール１によってＡＤ変換されたデジタルデータが示す値を、換算式によって計測の対象となる量に換算する機能、デジタルデータを補正する機能などがある。
【００５８】
また、クラウドサーバ１０１の電力管理機能設定部１０１３は、復号部１００７によって復号された情報の中に、センサおよび各モジュールの定格消費電力の情報と電源４（バッテリ）の容量の情報とが含まれている場合（図８ステップＳ３０においてＹＥＳ）、これらの情報をバッテリ寿命推定部１０１４に対して設定する（図８ステップＳ３１）。
【００５９】
また、クラウドサーバ１０１のセンサ管理機能設定部１０１７は、復号部１００７によって復号された情報の中に、センサ３の点検間隔、利用可能期間の情報が含まれている場合（図８ステップＳ３２においてＹＥＳ）、これらの情報をセンサ点検／交換時期推定部１０１８に対して設定する（図８ステップＳ３３）。
また、クラウドサーバ１０１の組み合わせ確認機能設定部１０１９は、復号部１００７によって復号された情報の中に、センサ３と各モジュールの情報が含まれている場合（図８ステップＳ３４においてＹＥＳ）、これらの情報を組み合わせ確認部１０６０に対して設定する（図８ステップＳ３５）。
以上で、計測システムの初期設定が終了し、センサ３の計測結果を計測装置１００からクラウドサーバ１０１を介してユーザ端末１０２に送信することが可能になる。
【００６０】
計測装置１００の構成を変更する場合、すなわちセンサ３、ＡＤモジュール１、ＮＷモジュール２および電源４のうち少なくとも１つを交換する場合、ユーザは、交換したセンサ３やモジュールのＱＲコードにユーザ端末１０２を近づけて、ＱＲコードをユーザ端末１０２のカメラ１０２５によって読み取るようにすればよい。
これにより、図７、図８で説明した処理が再度行われ、計測システムの設定が変更される。
【００６１】
次に、本実施例の計測システムの動作について説明する。図１０はＡＤモジュール１のセンサ３からの入力処理を説明するフローチャートである。最初に、ＡＤモジュール１のデータ読出部１４２は、通信・受給電メスコネクタ１０に接続されたセンサ３から、センサＩＤ、補正パラメータ（ゼロスパン、レシオ、バイアス、温度特性など）を読み出す（図１０ステップＳ１００）。なお、このセンサＩＤ、補正パラメータの読み出しは、本発明において必須の処理ではない。
【００６２】
次に、ＡＤモジュール１のＡＤ変換部１３は、センサ３から通信・受給電メスコネクタ１０を介して受信したアナログ信号（例えば４−２０ｍＡ電流信号）をデジタルデータに変換する（図１０ステップＳ１０１）。
【００６３】
ＡＤモジュール１のデータ補正部１４３は、データ補正が必要な場合に（図１０ステップＳ１０２においてＹＥＳ）、デジタルデータの補正を行う（図１０ステップＳ１０３）。データ補正が必要な場合とは、例えばデータ読出部１４２によってセンサ３から読み出された補正パラメータが存在する場合である。
【００６４】
補正処理としては、補正対象のデジタルデータが示す値に、レシオ・バイアスデータによって得られたレシオ（比率）を掛けてバイアスを加算する処理、あるいは補正対象のデジタルデータが示す値を補正パラメータに基づいて直線補正する処理などがある。上記の説明から明らかなように、この補正処理は本発明において必須の処理ではない。
また、クラウドサーバ１０１あるいはユーザ端末１０２側でこのような補正処理を行う場合には、ＡＤモジュール１でステップＳ１０３の補正処理を行う必要はない。
【００６５】
次に、ＡＤモジュール１の暗号化部１４０は、ＡＤ変換後のデジタルデータを暗号化キーＫｂを用いて暗号化し（図１０ステップＳ１０４）、暗号化デジタルデータをメモリ１５に書き込む（図１０ステップＳ１０５）。暗号化デジタルデータのメモリ１５への書き込みは、１サンプル前の暗号化デジタルデータを、最新の暗号化デジタルデータで更新する上書き保存でもよいし、最新の暗号化デジタルデータを追加していく追加保存でもよい。
【００６６】
ＡＤモジュール１は、例えばセンサ３の通信・受給電オスコネクタ３０が通信・受給電メスコネクタ１０から外されてセンサ３との接続が解除されるまで、あるいはＡＤモジュール１がＮＷモジュール２から外されて、あるいはＮＷモジュール２が電源４から外されて電力供給がなくなるまで電力供給がなくなるまで（図１０ステップＳ１０６においてＹＥＳ）、ステップＳ１０１〜Ｓ１０５の処理を繰り返し行う。
【００６７】
なお、ＡＤモジュール１にタイムスタンプ付加部１４５を設け、現在時刻を示すタイムスタンプをＡＤ変換後のデジタルデータに付加するようにしてもよい。
また、ＡＤモジュール１に温度データ付加部１４６を設け、図示しない温度センサによって計測した周囲温度を示す温度データをＡＤ変換後のデジタルデータに付加するようにしてもよい。
また、ＡＤモジュール１に位置データ付加部１４７を設け、図示しないＧＰＳ（Global Positioning System）センサによって計測した現在位置を示す位置データをＡＤ変換後のデジタルデータに付加するようにしてもよい。
【００６８】
また、ＡＤモジュール１は、通信・受給電オスコネクタ１１を介してＮＷモジュール２から受電した電力を通信・受給電メスコネクタ１０を介してセンサ３に供給することが可能である。ただし、本発明において、センサ３への給電は必須の構成ではなく、センサ３はセンサ自身の電源で動作してもよい。
【００６９】
図１１はＡＤモジュール１のＮＷモジュール２との通信処理を説明するフローチャートである。ＡＤモジュール１のデータ送信部１４１は、通信・受給電オスコネクタ１１およびＵＳＢコントローラ１２を介してＮＷモジュール２からデータ転送要求を受信したときに（図１１ステップＳ２００においてＹＥＳ）、メモリ１５から暗号化デジタルデータを読み出し（図１１ステップＳ２０１）、読み出した暗号化デジタルデータをＵＳＢコントローラ１２および通信・受給電オスコネクタ１１を介してＮＷモジュール２に送信する（図１１ステップＳ２０２）。
【００７０】
上記のとおり、暗号化デジタルデータが上書き保存される場合には、１サンプル分の暗号化デジタルデータがＮＷモジュール２に送信され、暗号化デジタルデータが追加保存される場合には、メモリ１５に保存されている全ての暗号化デジタルデータが送信される。なお、送信後に、メモリ１５に追加保存されていたデータが削除されるようにしてもよい。
【００７１】
ＡＤモジュール１の復号部１４９は、後述するステップＳ３０５の処理により、通信・受給電オスコネクタ１１およびＵＳＢコントローラ１２を介してＮＷモジュール２から暗号化デジタルデータを受信したときに（図１１ステップＳ２０３においてＹＥＳ）、この暗号化デジタルデータを暗号化キーＫｂを用いて復号し（図１１ステップＳ２０４）、復号したデジタルデータをメモリ１５に書き込む（図１１ステップＳ２０５）。
【００７２】
そして、ＡＤモジュール１のデータ送信部１４１は、ステップＳ２０４，Ｓ２０５において復号部１４９によって復号されたデジタルデータをＵＳＢコントローラ１２および通信・受給電オスコネクタ１１を介してＮＷモジュール２に送信する（図１１ステップＳ２０６）。
【００７３】
また、ＡＤモジュール１のパラメータ設定部１４４は、ステップＳ２０４，Ｓ２０５において復号部１４９によって復号されたデータの中に、ＡＤモジュール宛のＡＤ変換パラメータ設定データが含まれている場合（図１１ステップＳ２０７においてＹＥＳ）、ＡＤ変換パラメータ設定を行う（図１１ステップＳ２０８）。このときのＡＤ変換パラメータとしては、例えばＡＤ変換部１３のサンプリング周期などがある。こうして、ＡＤ変換部１３の設定を変更することができる。
【００７４】
ＡＤモジュール１は、例えばＡＤモジュール１がＮＷモジュール２から外されて、あるいはＮＷモジュール２が電源４から外されて電力供給がなくなるまで（図１１ステップＳ２０９においてＹＥＳ）、ステップＳ２００〜Ｓ２０８の処理を繰り返し行う。
【００７５】
図１２はＮＷモジュール２のＡＤモジュール１との通信処理を説明するフローチャートである。ＮＷモジュール２のデータ読出部２４０は、データ転送要求の送信タイミングになると（図１２ステップＳ３００においてＹＥＳ）、ＵＳＢコントローラ２３および通信・受給電メスコネクタ２０を介してＡＤモジュール１にデータ転送要求を送信する（図１２ステップＳ３０１）。上記で説明したとおり、ＡＤモジュール１からはデータ転送要求に応じて暗号化デジタルデータが送信される。
【００７６】
データ読出部２４０は、通信・受給電メスコネクタ２０およびＵＳＢコントローラ２３を介してＡＤモジュール１から暗号化デジタルデータを受信すると（図１２ステップＳ３０２においてＹＥＳ）、この暗号化デジタルデータをメモリ２５に書き込む（図１２ステップＳ３０３）。
【００７７】
次に、ＮＷモジュール２のデータ送信部２４４は、後述のようにクラウドサーバ１０１からの暗号化デジタルデータを受信した場合（図１２ステップＳ３０４）、ＵＳＢコントローラ２３および通信・受給電メスコネクタ２０を介してＡＤモジュール１に暗号化デジタルデータを送信する（図１２ステップＳ３０５）。図１１のステップＳ２０３〜Ｓ２０５で説明したとおり、ＡＤモジュール１においては暗号化デジタルデータの復号が行われる。
【００７８】
ＮＷモジュール２のパラメータ設定部２４３は、図１１のステップＳ２０３〜Ｓ２０６の処理によりＡＤモジュール１によって復号されＡＤモジュール１から送信されたデジタルデータの中に、ＮＷモジュール宛の通信パラメータ設定データが含まれている場合（図１２ステップＳ３０６においてＹＥＳ）、通信部２４１と通信回路２６，２９とに対して通信パラメータ設定を行う（図１２ステップＳ３０７）。こうして、クラウドサーバ１０１との通信に関する設定を変更することができる。
【００７９】
ＮＷモジュール２は、例えばＡＤモジュール１の通信・受給電オスコネクタ１１が通信・受給電メスコネクタ２０から外されてＡＤモジュール１との接続が解除されるまで、あるいはＮＷモジュール２が電源４から外されて電力供給がなくなるまで（図１２ステップＳ３０８においてＹＥＳ）、ステップＳ３００〜Ｓ３０７の処理を繰り返し行う。
【００８０】
図１３はＮＷモジュール２のクラウドサーバ１０１との通信処理を説明するフローチャートである。ＮＷモジュール２の通信部２４１は、暗号化デジタルデータの送信タイミングになったときに（図１３ステップＳ４００においてＹＥＳ）、ＡＤモジュール１から送信されメモリ２５に格納された暗号化デジタルデータ（ステップＳ３０３）を、メモリ２５から取り出して通信回路２６に渡す。暗号化デジタルデータの送信タイミングとは、例えばメモリ２５に暗号化デジタルデータが格納され、送信が可能になったタイミングである。メモリ２５からの取り出しが行われた時点で、取り出された分の暗号化デジタルデータがメモリ２５上から無くなることは言うまでもない。
【００８１】
通信回路２６は、通信部２４１から渡された暗号化デジタルデータを無線信号に変換して、アンテナ２２からネットワーク上のクラウドサーバ１０１宛に無線送信する（図１３ステップＳ４０１）。通信回路２６の無線通信規格としては、例えばＬＰＷＡ（Low Power Wide Area）、４Ｇなどがあるが、本発明はこれら無線通信規格に限定されるものではない。なお、上記のとおり通信パラメータ設定データによってクラウドサーバ１０１との通信に関する設定を変更することができるが、通信部２４１と通信回路２６，２９とに対する初期設定がＮＷモジュール２の製造時点で実施されているため、通信パラメータ設定データによる設定無しにクラウドサーバ１０１との通信を開始することが可能である。
【００８２】
ＮＷモジュール２の通信部２４１は、アンテナ２２および通信回路２６を介してネットワーク上のクラウドサーバ１０１から暗号化デジタルデータを受信したときに（図１３ステップＳ４０２においてＹＥＳ）、この暗号化デジタルデータをメモリ２５に書き込む（図１３ステップＳ４０３）。これにより、図１２のステップＳ３０４，Ｓ３０５で説明したとおり、暗号化デジタルデータはＡＤモジュール１に送信され、更には図１２のステップＳ３０６，Ｓ３０７の通信パラメータ設定に使われる。
【００８３】
ＮＷモジュール２は、例えばＡＤモジュール１の通信・受給電オスコネクタ１１が通信・受給電メスコネクタ２０から外されてＡＤモジュール１との接続が解除されるまで、あるいはＮＷモジュール２が電源４から外されて電力供給がなくなるまで（図１３ステップＳ４０４においてＹＥＳ）、ステップＳ４００〜Ｓ４０３の処理を繰り返し行う。
【００８４】
なお、本実施例では、ＡＤモジュール１から受信した暗号化デジタルデータをいったんメモリ２５に書き込んだ後で送信するようにしているが、これに限るものではなく、暗号化デジタルデータをメモリ２５に溜めずに送信するようにしてもよい。
本実施例では、ＮＷモジュール２がＡＤモジュール１にデータ転送要求を送信すると、暗号化デジタルデータがＡＤモジュール１から送信されるが、これに限るものではなく、ＡＤモジュール１のデータ送信部１４１は、ＡＤ変換部１３によってＡＤ変換され暗号化部１４０によって暗号化された暗号化デジタルデータの値が所定のしきい値を超えたときに、あるいはメモリ１５に格納された暗号化デジタルデータの個数が所定のしきい値を超えたときに、暗号化デジタルデータをＮＷモジュール２に送信するようにしてもよい。この場合、ＮＷモジュール２の通信部２４１は、ＡＤモジュール１から暗号化デジタルデータを受信した時点で、この暗号化デジタルデータをクラウドサーバ１０１に送信する。
【００８５】
図１４はクラウドサーバ１０１のＮＷモジュール２との通信処理を説明するフローチャートである。
クラウドサーバ１０１の通信部１０１１は、ネットワーク１０３および通信回路１００２を介してＮＷモジュール２から暗号化デジタルデータを受信したときに（図１４ステップＳ５００においてＹＥＳ）、この暗号化デジタルデータをメモリ１００１に書き込む（図１４ステップＳ５０１）。
【００８６】
クラウドサーバ１０１の復号部１０１５は、通信部１０１１によって受信されメモリ１００１に格納された暗号化デジタルデータを暗号化キーＫｂを用いて復号し（図１４ステップＳ５０２）、復号したデジタルデータをメモリ１００１に書き込む（図１４ステップＳ５０３）。
【００８７】
クラウドサーバ１０１のデータ補正部１０１０は、復号部１０１５によって復号されメモリ１００１に格納されたデジタルデータの中に、計測装置１００のＡＤモジュール１によってＡＤ変換されたデジタルデータが含まれる場合、計測機能設定部１００６によって設定された補正パラメータに基づいて、デジタルデータの補正を行う（図１４ステップＳ５０４）。
【００８８】
補正処理としては、補正対象のデジタルデータが示す値に、レシオ・バイアスデータによって得られたレシオ（比率）を掛けてバイアスを加算する処理、あるいは補正対象のデジタルデータが示す値を補正パラメータに基づいて直線補正する処理などがある。上記の説明から明らかなように、この補正処理は本発明において必須の処理ではない。
また、ＡＤモジュール１あるいはユーザ端末１０２側でこのような補正処理を行う場合には、クラウドサーバ１０１でステップＳ５０４の補正処理を行う必要はない。
【００８９】
クラウドサーバ１０１の換算部１００９は、復号部１０１５によって復号されメモリ１００１に格納されたデジタルデータの中に、計測装置１００のＡＤモジュール１によってＡＤ変換されたデジタルデータが含まれる場合、このデジタルデータが示す値を、計測機能設定部１００６によって設定された換算式により計測の対象となる量に換算する（図１４ステップＳ５０５）。なお、ユーザ端末１０２側で換算処理を行う場合には、クラウドサーバ１０１でステップＳ５０５の換算処理を行う必要はない。
【００９０】
クラウドサーバ１０１のバッテリ寿命推定部１０１４は、電力管理機能設定部１０１３によって設定された各モジュールの定格消費電力および電源４（バッテリ）の容量の情報に基づいて、電源４（バッテリ）の交換時期を推定し、推定した交換時期の情報をメモリ１００１に書き込む（図１４ステップＳ５０６）。
【００９１】
クラウドサーバ１０１のセンサ点検／交換時期推定部１０１８は、センサ管理機能設定部１０１７によって設定されたセンサ３の点検間隔、利用可能期間の情報に基づいて、センサ３の点検時期、交換時期を推定し、推定した点検時期、交換時期の情報をメモリ１００１に書き込む（図１４ステップＳ５０７）。
【００９２】
クラウドサーバ１０１の組み合わせ確認部１０６０は、組み合わせ確認機能設定部１０１９によって設定された情報に基づいて、センサ３とモジュールの組み合わせが正しいかどうかを確認し、確認結果の情報をメモリ１００１に書き込む（図１４ステップＳ５０８）。
【００９３】
組み合わせ確認部１０６０は、例えばセンサ３の出力信号タイプが電圧で、ＡＤモジュール１の入力信号タイプも電圧であれば、センサ３とＡＤモジュール１の組み合わせが正しいと判定し、センサ３の出力信号タイプが電流で、ＡＤモジュール１の入力信号タイプが電圧であれば、センサ３とＡＤモジュール１の組み合わせが誤っていると判定する。
【００９４】
また、クラウドサーバ１０１のパラメータ設定部１０１２は、ＡＤモジュール１やＮＷモジュール２のパラメータ設定が必要になった場合（図１４ステップＳ５０９においてＹＥＳ）、パラメータ設定データをメモリ１００１に書き込む（図１４ステップＳ５１０）。パラメータ設定が必要な場合とは、例えばユーザ端末１０２からパラメータ設定データを受信した場合である。このとき、パラメータ設定データには、設定対象のモジュールのＩＤが付加される。上記のとおりモジュールのＩＤは、ＱＲコードから取得することができる。したがって、パラメータ設定データを受信したモジュールは、受信したパラメータ設定データに付加されているＩＤによって、パラメータ設定データが自身宛のデータかどうかを認識することができる。なお、パラメータ設定データへのＩＤの付加は、後述のようにパラメータ設定データが入力されたときに、ユーザ端末１０２側で行ってもよい。
【００９５】
クラウドサーバ１０１の暗号化部１００８は、ユーザ端末１０２に送信すべきデジタルデータ（換算部１００９によって換算されたデジタルデータ、電源４（バッテリ）の交換時期を示すデジタルデータ、センサ３の点検時期、交換時期を示すデジタルデータ、センサ３とモジュールの組み合わせの確認結果を示すデジタルデータ）がメモリ１００１に格納されている場合（図１４ステップＳ５１１においてＹＥＳ）、これらのデジタルデータを所定の暗号化キーＫａを用いて暗号化し（図１４ステップＳ５１２）、暗号化デジタルデータをメモリ１００１に書き込む（図１４ステップＳ５１３）。
【００９６】
また、クラウドサーバ１０１の暗号化部１０１６は、ＮＷモジュール２に送信すべきパラメータ設定データがメモリ１００１に格納されている場合（図１４ステップＳ５１４においてＹＥＳ）、このパラメータ設定データを暗号化キーＫｂを用いて暗号化し（図１４ステップＳ５１５）、暗号化デジタルデータをメモリ１００１に書き込む（図１４ステップＳ５１６）。
【００９７】
クラウドサーバ１０１の通信部１０１１は、ＮＷモジュール２に送信すべき暗号化デジタルデータ（パラメータ設定データ）の送信タイミングになったときに（図１４ステップＳ５１７においてＹＥＳ）、ＮＷモジュール２に送信すべき暗号化デジタルデータをメモリ１００１から取り出し、この暗号化デジタルデータを通信回路１００２およびネットワーク１０３を介してＮＷモジュール２に送信する（図１４ステップＳ５１８）。暗号化デジタルデータの送信タイミングとは、例えばメモリ１００１に暗号化デジタルデータが格納され、送信が可能になったタイミングである。メモリ１００１からの取り出しが行われた時点で、取り出された分の暗号化デジタルデータがメモリ１００１上から無くなることは言うまでもない。
クラウドサーバ１０１は、例えば電源が切断されて動作が終了するまで（図１４ステップＳ５１９においてＹＥＳ）、ステップＳ５００〜Ｓ５１８の処理を繰り返し行う。
【００９８】
図１５はクラウドサーバ１０１のユーザ端末１０２との通信処理を説明するフローチャートである。
クラウドサーバ１０１の通信部１００３は、ユーザ端末１０２に送信すべき暗号化デジタルデータの送信タイミングになったときに（図１５ステップＳ６００においてＹＥＳ）、ユーザ端末１０２に送信すべき暗号化デジタルデータをメモリ１００１から取り出し、この暗号化デジタルデータを通信回路１００２およびネットワーク１０３を介してユーザ端末１０２に送信する（図１５ステップＳ６０１）。
【００９９】
また、クラウドサーバ１０１の通信部１００３は、ネットワーク１０３および通信回路１００２を介してユーザ端末１０２から暗号化デジタルデータを受信したときに（図１５ステップＳ６０２においてＹＥＳ）、この暗号化デジタルデータをメモリ１００１に書き込む（図１５ステップＳ６０３）。
【０１００】
クラウドサーバ１０１の復号部１００７は、通信部１００３によって受信されメモリ１００１に格納された暗号化デジタルデータを暗号化キーＫａを用いて復号し（図１５ステップＳ６０４）、復号したデジタルデータをメモリ１００１に書き込む（図１５ステップＳ６０５）。このデジタルデータの中にパラメータ設定データが含まれている場合には、上記のとおり暗号化された上でＮＷモジュール２に送信される。
クラウドサーバ１０１は、例えば電源が切断されて動作が終了するまで（図１５ステップＳ６０６においてＹＥＳ）、ステップＳ６００〜Ｓ６０５の処理を繰り返し行う。
【０１０１】
図１６はユーザ端末１０２のクラウドサーバ１０１との通信処理を説明するフローチャートである。ユーザ端末１０２の通信部１０２６は、アンテナ１０２２および通信回路１０２３を介してネットワーク上のクラウドサーバ１０１から暗号化デジタルデータを受信したときに（図１６ステップＳ４０においてＹＥＳ）、この暗号化デジタルデータをメモリ１０２１に書き込む（図１６ステップＳ４１）。
【０１０２】
ユーザ端末１０２の復号部１０２７は、通信部１０２６によって受信されメモリ１０２１に格納された暗号化デジタルデータを暗号化キーＫａを用いて復号し（図１６ステップＳ４２）、復号したデジタルデータをメモリ１０２１に書き込む（図１６ステップＳ４３）。
【０１０３】
ユーザ端末１０２の表示部１０３１は、復号部１０２７によって復号されメモリ１０２１に格納されたデジタルデータの中に、計測装置１００によって計測された計測量のデータが含まれている場合（図１６ステップＳ４４においてＹＥＳ）、この計測量の値を表示部１０２４に表示させる（図１６ステップＳ４５）。こうして、ユーザは、計測装置１００の計測結果を知ることができる。
【０１０４】
また、ユーザ端末１０２の表示部１０３１は、復号部１０２７によって復号されメモリ１０２１に格納されたデジタルデータの中に、電源４（バッテリ）の交換時期を示すデジタルデータが含まれている場合（図１６ステップＳ４６においてＹＥＳ）、バッテリの交換時期の情報を表示部１０２４に表示させる（図１６ステップＳ４７）。こうして、ユーザは、電源４としてバッテリが使用されている場合に、バッテリの交換時期を知ることができる。
【０１０５】
ユーザ端末１０２の表示部１０３１は、復号部１０２７によって復号されメモリ１０２１に格納されたデジタルデータの中に、センサ３の点検時期、交換時期を示すデジタルデータが含まれている場合（図１６ステップＳ４８においてＹＥＳ）、センサ３の点検時期、交換時期の情報を表示部１０２４に表示させる（図１６ステップＳ４９）。こうして、ユーザは、センサ３の点検時期、交換時期を知ることができる。
【０１０６】
ユーザ端末１０２の表示部１０３１は、復号部１０２７によって復号されメモリ１０２１に格納されたデジタルデータの中に、センサ３とモジュールの組み合わせの確認結果を示すデジタルデータが含まれている場合（図１６ステップＳ５０においてＹＥＳ）、センサ３とモジュールの組み合わせの確認結果の情報を表示部１０２４に表示させる（図１６ステップＳ５１）。こうして、ユーザは、センサ３とモジュールの組み合わせが正しいかどうかを確認することができる。
【０１０７】
また、ユーザは、例えばＡＤモジュール１のサンプリング周期を変更したい場合、タッチパネル機能付きの表示器１０２４に触れて、パラメータ設定データを入力する。
ユーザ端末１０２の暗号化部１０２８は、タッチパネル機能付きの表示器１０２４を通じてパラメータ設定データが入力された場合（図１６ステップＳ５２においてＹＥＳ）、入力されたパラメータ設定データを暗号化キーＫａを用いて暗号化し（図１６ステップＳ５３）、暗号化デジタルデータをメモリ１０２１に書き込む（図１６ステップＳ５４）。
【０１０８】
ユーザ端末１０２の通信部１０２６は、暗号化デジタルデータの送信タイミングになったときに（図１６ステップＳ５５においてＹＥＳ）、メモリ１０２１から暗号化デジタルデータを取り出して通信回路１０２３に渡す。ユーザ端末１０２の通信回路１０２３は、通信部１０２６から渡された暗号化デジタルデータを無線信号に変換して、アンテナ１０２２からネットワーク上のクラウドサーバ１０１宛に無線送信する（図１６ステップＳ５６）。
ユーザ端末１０２は、例えば電源が切断されて動作が終了するまで（図１６ステップＳ５７においてＹＥＳ）、ステップＳ４０〜Ｓ５６の処理を繰り返し行う。
【０１０９】
なお、本実施例では、ＮＷモジュール２が無線通信を行う例を説明しているが、有線通信を行ってもよい。この場合、通信コネクタ２８を介してＮＷモジュール２をネットワーク１０３と接続すればよい。ＮＷモジュール２の通信部２４１は、暗号化デジタルデータをパケットに変換する。通信回路２９は、通信部２４１から渡されたパケットを通信コネクタ２８からネットワーク上のクラウドサーバ１０１宛に送信する（図１３ステップＳ４０１）。また、通信回路２９は、通信コネクタ２８を介してクラウドサーバ１０１からパケットを受信したときに、このパケットを通信部２４１に渡す。通信部２４１は、パケットから暗号化デジタルデータを取り出す（図１３ステップＳ４０２）。通信回路２９の有線通信規格としては、例えばイーサネット（登録商標）などがあるが、本発明はこのような有線通信規格に限定されるものではない。
【０１１０】
従来より、ＩｏＴ用のセンサおよび次世代の新しいセンサが開発されているが、社会実装に繋がるケースが少ない。その一つの要因として、ネットワークを介してデータを収集したり、制御したりするための計測システム構築の技術面と費用の課題があった。本実施例によれば、新しいセンサを開発したときに、計測システムを簡単かつ低コストで実現することができ、社会実装に繋げることができる。今後開発されるセンサの場合も、ＡＤモジュール１への入力の仕様をＡＤモジュール１の規格に合わせることで、直ぐに実証実験が可能となる。
【０１１１】
また、特許文献１に開示されたＵＳＢ変換器では、コンピュータと接続する必要があったが、本実施例では、ＮＷモジュール２を、通信・受給電メスコネクタ４０を備えた電源４と接続すればよく、コンピュータと接続する必要はない。
【０１１２】
また、本実施例では、暗号化デジタルデータを別の無線通信規格または有線通信規格で送信したい場合には、その無線通信規格または有線通信規格に対応したＮＷモジュール２に交換することで、無線通信規格または有線通信規格を簡単に切り替えることができる。
また、ＩｏＴでは、データの信頼性の面の課題も重要であるが、本実施例では、ＡＤ変換後のデジタルデータに対して自動的に暗号化を行うので、利用者は特に意識することなく、セキュリティ性を確保したデータ転送を実現できる。
【０１１３】
さらに、本実施例では、センサ３や各モジュールのＱＲコードをユーザ端末１０２のカメラ１０２５によって読み取るだけで、ＱＲコードが示す情報がユーザ端末１０２からクラウドサーバ１０１に転送され、計測システムの初期設定が自動的に行われるので、計測システムを短時間で稼働状態とすることができ、計測の対象となる量の計測を直ちに開始することができる。本実施例は、特に通信機能、暗号化機能、計測機能をクラウドサーバ１０１に設定するのに好適である。
【０１１４】
また、本実施例では、計測装置１００の構成を変更する場合、変更したセンサ３やモジュールのＱＲコードをユーザ端末１０２のカメラ１０２５によって読み取るだけで、計測システムの設定を簡単に変更することができ、計測システムによる計測を短時間で再開することができる。
【０１１５】
また、本実施例では、ユーザ端末１０２のユーザに電源４（バッテリ）の交換時期の情報を提供することができるので、ユーザは、電源４としてバッテリを使用する場合に、最適なバッテリを選定したり、電源４の交換時期が迫っているときに電源４を交換したりすることが可能となる。
【０１１６】
なお、本実施例では、センサ３や各モジュールに付設されたＱＲコードを読み取るが、ＱＲコードの代わりにＮＦＣやＢｌｕｅｔｏｏｔｈなどの近距離無線通信も利用可能である。この場合のセンサ３の構成を図１７に示す。センサ３は、通信・受給電オスコネクタ３０と、ＵＳＢコントローラ３１と、計測の対象となる量を検出するセンサ回路部３２と、ＣＰＵ３３と、メモリ３４と、近距離無線通信用のアンテナ３７と、近距離無線通信用の通信回路３８と、電源線３９とを備えている。
【０１１７】
ＣＰＵ３３は、メモリ３４に格納されたプログラムに従って本実施例で説明する処理を実行し、近距離無線通信部３３０として機能する。ＡＤモジュール１から電力供給を受ける場合、ＵＳＢコントローラ３１とセンサ回路部３２とＣＰＵ３３とメモリ３４とは、通信・受給電オスコネクタ３０から電力供給を受けて動作する。
【０１１８】
ＱＲコードの代わりに近距離無線通信を利用する場合の計測システムの初期設定時のユーザ端末１０２の動作を図１８に示し、センサ３の動作を図１９に示す。
計測システムを構築しようとするユーザは、センサ３にユーザ端末１０２を近づける。ユーザ端末１０２の近距離無線通信部１０３７は、通信回路１０３６およびアンテナ１０３５を介してデータ転送要求を近距離無線送信する（図１８ステップＳ１７）。
【０１１９】
近距離無線通信部１０３７は、通信回路１０３６およびアンテナ１０３５を介して通信相手からデジタルデータを受信すると（図１８ステップＳ１８においてＹＥＳ）、受信したデジタルデータから情報を取り出す（図１８ステップＳ１９）。ステップＳ１３〜Ｓ１５の処理は、図７で説明したとおりである。
なお、ＱＲコードの場合と同様に、デジタルデータは所定の近距離無線通信用暗号化キーを用いて暗号化されていることが望ましい。したがって、近距離無線通信部１０３７は、通信回路１０３６およびアンテナ１０３５を介して受信した暗号化デジタルデータを、近距離無線通信用暗号化キーを用いて復号して情報を得ることになる。
【０１２０】
一方、センサ３の近距離無線通信部３３０は、アンテナ３７および通信回路３８を介してユーザ端末１０２からデータ転送要求を受信したときに（図１９ステップＳ６０においてＹＥＳ）、メモリ３４から暗号化デジタルデータ（センサＩＤ、計測量タイプ、出力信号タイプ、換算式、出力信号範囲、補正パラメータ、定格消費電力などの情報）を読み出す（図１９ステップＳ６１）。上記で説明したとおり、メモリ３４から読み出す暗号化デジタルデータは、所定の近距離無線通信用暗号化キーを用いて予め暗号化されている。
【０１２１】
そして、近距離無線通信部３３０は、メモリ３４から読み出した暗号化デジタルデータを、通信回路３８およびアンテナ３７を介して通信相手のユーザ端末１０２に近距離無線送信する（図１９ステップＳ６２）。
こうして、センサ３のＱＲコード３５が示す情報と同じものを近距離無線通信によりユーザ端末１０２に送信することができる。
【０１２２】
ＡＤモジュール１とＮＷモジュール２についても同様である。ＡＤモジュール１の場合には、図１９の説明における近距離無線通信部３３０、アンテナ３７、通信回路３８、メモリ３４をそれぞれ近距離無線通信部１５２、アンテナ１５０、通信回路１５１、メモリ１５に置き換えるようにすればよい。また、ＮＷモジュール２の場合には、図１９の説明における近距離無線通信部３３０、アンテナ３７、通信回路３８、メモリ３４をそれぞれ近距離無線通信部２４７、アンテナ２４５、通信回路２４６、メモリ２５に置き換えるようにすればよい。
【０１２３】
［第２の実施例］
第１の実施例では、クラウドサーバ１０１がＮＷモジュール２から受信した暗号化デジタルデータを復号して、さらにユーザ端末１０２用に暗号化した上でユーザ端末１０２に送信しているが、ＮＷモジュール２から受信した暗号化デジタルデータをクラウドサーバ１０１で復号せずにそのままユーザ端末１０２に送信してもよい。本実施例においても、計測システムの構成は第１の実施例と同様であるので、第１の実施例の符号を用いて説明する。
【０１２４】
図２０は本実施例の計測システムの初期設定時のユーザ端末１０２の動作を説明するフローチャートである。
図２０のステップＳ１０〜Ｓ１２の処理は、図７で説明したとおりである。なお、第１の実施例で説明したように、ＱＲコードの代わりに近距離無線通信を利用してもよい。
【０１２５】
第１の実施例の場合、ユーザ端末１０２の情報取得部１０３３または近距離無線通信部１０３７が取得するＡＤモジュール１の情報に含まれる暗号化キーは、暗号化キーＫｂ（クラウドサーバ１０１およびＡＤモジュール１で暗号化／復号するためのＡＤ変換後デジタルデータ用暗号化キー）である。
【０１２６】
一方、本実施例の場合、ユーザ端末１０２の情報取得部１０３３または近距離無線通信部１０３７が取得するＡＤモジュール１の情報に含まれる暗号化キーは、暗号化キーＫｂと、暗号化キーＫｃ（ユーザ端末１０２で暗号化／復号するためのＡＤ変換後デジタルデータ用暗号化キー）の２種類がある。
【０１２７】
ユーザ端末１０２の暗号化部１０２８は、情報取得部１０３３または近距離無線通信部１０３７が取得した情報を暗号化キーＫａを用いて暗号化するが（図２０ステップＳ１３ａ）、この暗号化の対象となるのは、センサ３のＩＤと定格消費電力と点検間隔と利用可能期間の情報、ＡＤモジュール１のＩＤと、暗号化キーＫｂ、ＡＤモジュール１の定格消費電力の情報、およびＮＷモジュール２の全ての情報である。すなわち、暗号化キーＫｃ、および計測機能に関わる情報はクラウドサーバ１０１に送信しない。
【０１２８】
図２０のステップＳ１４，Ｓ１５の処理は、図７で説明したとおりである。ユーザ端末１０２の暗号化機能設定部１０３８は、情報取得部１０３３または近距離無線通信部１０３７が取得した情報の中に暗号化キーＫｃが含まれている場合（図２０ステップＳ７０においてＹＥＳ）、この暗号化キーを復号部１０２７と暗号化部１０２８とに対して設定する（図２０ステップＳ７１）。この設定により、計測装置１００とユーザ端末１０２との間でデータの暗号化／復号を行うことが可能になる。
【０１２９】
また、ユーザ端末１０２の計測機能設定部１０３９は、情報取得部１０３３または近距離無線通信部１０３７が取得した情報の中に、センサ３の情報（ＩＤ、計測量タイプ、出力信号タイプ、換算式、出力信号範囲、補正パラメータなど）、ＡＤモジュール１の情報（ＩＤ、入力信号タイプ、入力範囲、ＡＤ変換周期、分解能、出力データビット数、補正パラメータなど）が含まれている場合（図２０ステップＳ７２においてＹＥＳ）、これらの情報に基づいて計測機能に関する設定を、換算部１０２９とデータ補正部１０３０とに対して行う（図２０ステップＳ７３）。
【０１３０】
図２１は本実施例の計測システムの初期設定時のクラウドサーバ１０１の動作を説明するフローチャートである。図２１のステップＳ２０〜Ｓ２５，Ｓ３０〜Ｓ３５の処理は、図８と同じである。
【０１３１】
クラウドサーバ１０１の暗号化機能設定部１００５は、復号部１００７によって復号された情報の中に含まれる暗号化キーＫｂを、復号部１０１５と暗号化部１０１６とに対して設定する（図２１ステップＳ２７ａ）。
なお、ユーザ端末１０２から受信して復号した情報の中に、計測機能に関わる情報が含まれていないため、図８のステップＳ２８，Ｓ２９の処理は行われない。
【０１３２】
図２２は本実施例のＡＤモジュール１のセンサ３からの入力処理を説明するフローチャートである。図２２のステップＳ１００〜Ｓ１０３，Ｓ１０５の処理は、図１０と同じである。
ＡＤモジュール１の暗号化部１４０は、ＡＤ変換後のデジタルデータを暗号化キーＫｃを用いて暗号化し、さらに暗号化キーＫｂを用いて暗号化する（図２２ステップＳ１０４ａ）。
【０１３３】
図２３は本実施例のＡＤモジュール１のＮＷモジュール２との通信処理を説明するフローチャートである。図２３のステップＳ２００〜Ｓ２０２，Ｓ２０５〜Ｓ２０８の処理は、図１１と同じである。
【０１３４】
ＡＤモジュール１の復号部１４９は、ＮＷモジュール２から暗号化デジタルデータを受信したときに（図２３ステップＳ２０３においてＹＥＳ）、この暗号化デジタルデータを暗号化キーＫｂを用いて復号し、さらに暗号化キーＫｃを用いて復号する（図２３ステップＳ２０４ａ）。
【０１３５】
図２４は本実施例のクラウドサーバ１０１のＮＷモジュール２との通信処理を説明するフローチャートである。
図２４のステップＳ５００〜Ｓ５０３，Ｓ５０６〜Ｓ５１０，Ｓ５１４〜Ｓ５１８の処理は図１４と同様である。ただし、クラウドサーバ１０１の復号部１０１５がＮＷモジュール２からの暗号化デジタルデータを復号した場合でも（図２４ステップＳ５０２）、復号で得られるのは、ＮＷモジュール２とユーザ端末１０２との間の暗号化キーを用いて暗号化された暗号化デジタルデータである。
【０１３６】
クラウドサーバ１０１の暗号化部１００８は、ユーザ端末１０２に送信すべきデジタルデータ（復号部１０１５によって復号された暗号化デジタルデータ、電源４（バッテリ）の交換時期を示すデジタルデータ、センサ３の点検時期、交換時期を示すデジタルデータ、センサ３とモジュールの組み合わせの確認結果を示すデジタルデータ）がメモリ１００１に格納されている場合（図２４ステップＳ５１１においてＹＥＳ）、これらのデジタルデータを暗号化キーＫａを用いて暗号化し（図２４ステップＳ５１２）、暗号化デジタルデータをメモリ１００１に書き込む（図２４ステップＳ５１３）。
【０１３７】
図２５は本実施例のクラウドサーバ１０１のユーザ端末１０２との通信処理を説明するフローチャートである。図２５のステップＳ６０２〜Ｓ６０５の処理は、図１５と同じである。
クラウドサーバ１０１の通信部１００３は、ユーザ端末１０２に送信すべき暗号化デジタルデータとして、ＮＷモジュール２から受信してメモリ１００１に書き込まれた暗号化デジタルデータと、暗号化部１００８によって暗号化されメモリ１００１に書き込まれた暗号化デジタルデータとをメモリ１００１から取り出し、これらの暗号化デジタルデータを通信回路１００２およびネットワーク１０３を介してユーザ端末１０２に送信する（図２５ステップＳ６０１ａ）。
【０１３８】
なお、クラウドサーバ１０１の復号部１００７がユーザ端末１０２からの暗号化デジタルデータを復号した場合でも（図２５ステップＳ６０４）、復号で得られるのは、ＮＷモジュール２とユーザ端末１０２との間の暗号化キーを用いて暗号化された暗号化デジタルデータである。
【０１３９】
本実施例のユーザ端末１０２の動作を図２６に示す。図２６のステップＳ４０，Ｓ４１の処理は、図１６で説明したとおりである。
ユーザ端末１０２の復号部１０２７は、クラウドサーバ１０１から受信した暗号化デジタルデータを暗号化キーＫａを用いて復号し、さらに暗号化キーＫｃを用いて復号し（図２６ステップＳ４２ａ）、復号したデジタルデータをメモリ１０２１に書き込む（図２６ステップＳ４３）。
【０１４０】
ユーザ端末１０２のデータ補正部１０３０は、復号部１０２７によって復号されメモリ１０２１に格納されたデジタルデータの中に計測装置１００のＡＤモジュール１によってＡＤ変換されたデジタルデータが含まれる場合、補正パラメータに基づいてデジタルデータの補正を行う（図２６ステップＳ５４）。この補正処理は、図１４のステップＳ５０４と同様である。
【０１４１】
ユーザ端末１０２の換算部１０２９は、復号部１０２７によって復号されメモリ１０２１に格納されたデジタルデータの中に、計測装置１００のＡＤモジュール１によってＡＤ変換されたデジタルデータが含まれる場合、このデジタルデータが示す値を、計測機能設定部１０３９によって設定された換算式により計測の対象となる量に換算する（図２６ステップＳ５５）。
【０１４２】
ユーザ端末１０２の表示部１０３１は、換算部１０２９によって換算された計測量のデータが有る場合（図２６ステップＳ４４ａにおいてＹＥＳ）、この計測量の値を表示部１０２４に表示させる（図２６ステップＳ４５ａ）。図２６のステップＳ４６〜Ｓ５１の処理は、図１６と同様である。
【０１４３】
ユーザ端末１０２の暗号化部１０２８は、タッチパネル機能付きの表示器１０２４を通じてパラメータ設定データが入力された場合（図２６ステップＳ５２においてＹＥＳ）、入力されたパラメータ設定データを暗号化キーＫｃを用いて暗号化し、さらに暗号化キーＫａを用いて暗号化する（図２６ステップＳ５３ａ）。図２６のステップＳ５４〜Ｓ５６の処理は、図１６と同様である。
【０１４４】
こうして、本実施例では、クラウドサーバ１０１を経由してＮＷモジュール２とユーザ端末１０２との間でやりとりされるデータを暗号化キーＫｃを用いて暗号化しており、この暗号化キーがクラウドサーバ１０１に蓄積されていないので、通信の安全性をさらに高めることができる。
【０１４５】
［第３の実施例］
第１、第２の実施例では、ＡＤモジュール１に暗号化機能が搭載されていることを前提としているが、暗号化機能をモジュール化してもよい。図２７（Ａ）〜図２７（Ｃ）は本実施例に係る計測装置１００ａの構成を示す図である。図２７（Ａ）はＡＤモジュール１ａと暗号化モジュール８の個々の外観を示し、図２７（Ｂ）はＡＤモジュール１ａと暗号化モジュール８とを接続した状態を示し、図２７（Ｃ）はさらにＡＤモジュール１ａにセンサ３のコネクタを接続し、暗号化モジュール８にＮＷモジュール２を接続し、ＮＷモジュール２に電源４を接続した状態を示している。
【０１４６】
ＡＤモジュール１ａは、通信・受給電メスコネクタ１０と、通信・受給電オスコネクタ１１と、ＡＤモジュール１ａの筐体に付設されたＱＲコード１７ａとを備えている。ＡＤモジュール１ａは、通信・受給電メスコネクタ１０から入力されたアナログ信号をＡＤ変換して、ＡＤ変換後のデジタルデータを蓄積する機能と、通信・受給電オスコネクタ１１（または通信・受給電メスコネクタ１０）から受電する機能と、受電した電力を通信・受給電メスコネクタ１０（または通信・受給電オスコネクタ１１）を介して外部へ給電する機能とを有している。
【０１４７】
暗号化モジュール８は、ＡＤモジュール１ａの通信・受給電オスコネクタ１１と着脱自在に嵌合する、ＡＤモジュール１ａとのデータ通信および給電用の通信・受給電メスコネクタ８０と、ＮＷモジュール２の通信・受給電メスコネクタ２０と着脱自在に嵌合する、ＮＷモジュール２とのデータ通信および受電用の通信・受給電オスコネクタ８１と、暗号化モジュール８の筐体に付設されたＱＲコード８６とを備えている。暗号化モジュール８は、通信・受給電メスコネクタ８０に接続されたモジュール（ＡＤモジュール１ａ）からデータを読み出し、データを暗号化して蓄積する機能と、通信・受給電オスコネクタ８１（または通信・受給電メスコネクタ８０）から受電する機能と、受電した電力を通信・受給電メスコネクタ８０（または通信・受給電オスコネクタ８１）を介して外部へ給電する機能とを有している。
【０１４８】
次に、ＡＤモジュール１ａと暗号化モジュール８の構成と動作をより詳細に説明する。図２８はＡＤモジュール１ａの構成を示すブロック図であり、図２と同一の構成には同一の符号を付してある。ＡＤモジュール１ａは、通信・受給電メスコネクタ１０と、通信・受給電オスコネクタ１１と、ＵＳＢコントローラ１２と、ＡＤ変換部１３と、ＣＰＵ１４ａと、メモリ１５と、アンテナ１５０と、通信回路１５１とを備えている。
【０１４９】
ＣＰＵ１４ａは、メモリ１５に格納されたプログラムに従って本実施例で説明する処理を実行し、データ送信部１４１とデータ読出部１４２とデータ補正部１４３とパラメータ設定部１４４とタイムスタンプ付加部１４５と温度データ付加部１４６と位置データ付加部１４７とデータ書込部１４８と近距離無線通信部１５２として機能する。
ＵＳＢコントローラ１２とＡＤ変換部１３とＣＰＵ１４ａとメモリ１５と通信回路１５１とは、通信・受給電オスコネクタ１１または通信・受給電メスコネクタ１０から電力供給を受けて動作する。
【０１５０】
図２９はＡＤモジュール１ａのセンサ３からの入力処理を説明するフローチャートである。ＡＤモジュール１ａのデータ読出部１４２とＡＤ変換部１３とデータ補正部１４３の動作（図２９ステップＳ１００〜Ｓ１０３）は、第１の実施例で説明したとおりである。
【０１５１】
ＡＤモジュール１ａのデータ書込部１４８は、ＡＤ変換後のデジタルデータをメモリ１５に書き込む（図２９ステップＳ１０７）。第１の実施例と同様に、デジタルデータのメモリ１５への書き込みは、１サンプル前のデジタルデータを、最新のデジタルデータで更新する上書き保存でもよいし、最新のデジタルデータを追加していく追加保存でもよい。
【０１５２】
ＡＤモジュール１ａは、例えばセンサ３の通信・受給電オスコネクタ３０が通信・受給電メスコネクタ１０から外されてセンサ３との接続が解除されるまで、あるいはＡＤモジュール１ａが暗号化モジュール８から外されて、あるいはＮＷモジュール２が電源４から外されて電力供給がなくなるまで（図２９ステップＳ１０８においてＹＥＳ）、ステップＳ１０１〜Ｓ１０３，Ｓ１０７の処理を繰り返し行う。
【０１５３】
図３０はＡＤモジュール１ａの暗号化モジュール８との通信処理を説明するフローチャートである。
ＡＤモジュール１ａのデータ送信部１４１は、通信・受給電オスコネクタ１１およびＵＳＢコントローラ１２を介して暗号化モジュール８からデータ転送要求を受信したときに（図３０ステップＳ２１０においてＹＥＳ）、メモリ１５からデジタルデータを読み出し（図３０ステップＳ２１１）、読み出したデジタルデータをＵＳＢコントローラ１２および通信・受給電オスコネクタ１１を介して暗号化モジュール８に送信する（図３０ステップＳ２１２）。
【０１５４】
上記のとおり、デジタルデータが上書き保存される場合には、１サンプル分のデジタルデータが暗号化モジュール８に送信され、デジタルデータが追加保存される場合には、メモリ１５に保存されている全てのデジタルデータが送信される。なお、送信後に、メモリ１５に追加保存されていたデータが削除されるようにしてもよい。
【０１５５】
ＡＤモジュール１ａのパラメータ設定部１４４は、通信・受給電オスコネクタ１１、ＵＳＢコントローラ１２および暗号化モジュール８を介してＮＷモジュール２からデジタルデータを受信し、このデジタルデータの中に自身宛のＡＤ変換パラメータ設定データが含まれているときに（図３０ステップＳ２１３においてＹＥＳ）、ステップＳ２０８と同様にＡＤ変換パラメータ設定を行う（図３０ステップＳ２１４）。
【０１５６】
ＡＤモジュール１ａは、例えばＡＤモジュール１ａが暗号化モジュール８から外されて、あるいはＮＷモジュール２が電源４から外されて電力供給がなくなるまで（図３０ステップＳ２１５においてＹＥＳ）、ステップＳ２１０〜Ｓ２１４の処理を繰り返し行う。
【０１５７】
次に、暗号化モジュール８の構成を図３１を参照して説明する。暗号化モジュール８は、通信・受給電メスコネクタ８０と、通信・受給電オスコネクタ８１と、通信・受給電メスコネクタ８０または通信・受給電オスコネクタ８１を通じた信号の送受信を制御するＵＳＢコントローラ８２と、ＣＰＵ８３と、メモリ８４と、近距離無線通信用のアンテナ８７と、近距離無線通信用の通信回路８８とを備えている。
【０１５８】
ＡＤモジュール１の場合と同様に、暗号化モジュール８の電源線には、通信・受給電メスコネクタ８０のプラス側の電源端子（ＶＢＵＳ）と通信・受給電オスコネクタ８１のプラス側の電源端子（ＶＢＵＳ）とを接続するプラス側の電源線８５と、通信・受給電メスコネクタ８０のＧＮＤ端子と通信・受給電オスコネクタ８１のＧＮＤ端子とを接続するマイナス側の電源線とがあるが、図３１ではマイナス側の電源線の記載を省略している。
【０１５９】
ＣＰＵ８３は、メモリ８４に格納されたプログラムに従って本実施例で説明する処理を実行し、データ読出部８４０と暗号化部８４１とデータ送信部８４２とデータ受信部８４３とデータ転送部８４４と復号部８４５と近距離無線通信部８４６として機能する。
ＵＳＢコントローラ８２とＣＰＵ８３とメモリ８４と通信回路８８とは、通信・受給電オスコネクタ８１または通信・受給電メスコネクタ８０から電力供給を受けて動作する。
【０１６０】
計測システムの初期設定時には、第１の実施例と同様に、ユーザは、暗号化モジュール８のＱＲコード８６にユーザ端末１０２を近づけて、ＱＲコード８６をユーザ端末１０２のカメラ１０２５によって読み取るようにすればよい（図７ステップＳ１０）。これにより、第１の実施例と同様に計測システムの初期設定を行うことができる。
【０１６１】
暗号化モジュール８のＱＲコード８６が示す情報としては、暗号化モジュール８のＩＤ、暗号化キーＫｂ、暗号化キーＫｃ、暗号化モジュール８の定格消費電力などがある。第１の実施例と同様に、ＱＲコード８６が示す情報は、所定のＱＲコード暗号化キーを用いて暗号化されていることが望ましい。
【０１６２】
また、本実施例のＡＤモジュール１ａのＱＲコード１７ａが示す情報は、ＡＤモジュール１ａのＩＤ、入力信号タイプ、入力範囲、ＡＤ変換周期、分解能、出力データビット数、補正パラメータ、ＡＤモジュール１ａの定格消費電力となり、ＱＲコード１７が示す情報から暗号化キーを除いたものとなる。
【０１６３】
第１の実施例で説明したとおり、ＱＲコード８６の代わりに近距離無線通信も利用可能である。近距離無線通信の場合は、図１９の説明における近距離無線通信部３３０、アンテナ３７、通信回路３８、メモリ３４をそれぞれ近距離無線通信部８４６、アンテナ８７、通信回路８８、メモリ８４に置き換えるようにすればよい。第１の実施例で説明したとおり、メモリ８４から読み出す暗号化デジタルデータは、所定の近距離無線通信用暗号化キーを用いて予め暗号化されている。
【０１６４】
図３２は暗号化モジュール８のＡＤモジュール１ａとの通信処理を説明するフローチャートである。暗号化モジュール８のデータ読出部８４０は、データ転送要求の送信タイミングになると（図３２ステップＳ７００においてＹＥＳ）、ＵＳＢコントローラ８２および通信・受給電メスコネクタ８０を介してＡＤモジュール１ａにデータ転送要求を送信する（図３２ステップＳ７０１）。上記で説明したとおり、ＡＤモジュール１ａからはデータ転送要求に応じてデジタルデータが送信される。
【０１６５】
データ読出部８４０は、通信・受給電メスコネクタ８０およびＵＳＢコントローラ８２を介してＡＤモジュール１ａからデジタルデータを受信すると（図３２ステップＳ７０２においてＹＥＳ）、このデジタルデータをメモリ８４に書き込む（図３２ステップＳ７０３）。
【０１６６】
続いて、暗号化モジュール８の暗号化部８４１は、メモリ８４に格納されたデジタルデータを暗号化キーＫｂを用いて暗号化し（図３２ステップＳ７０４）、暗号化デジタルデータをメモリ８４に書き込む（図３２ステップＳ７０５）。暗号化デジタルデータのメモリ８４への書き込みは、上書き保存でもよいし、追加保存でもよい。
【０１６７】
なお、本実施例に第２の実施例を適用する場合には、暗号化部８４１は、メモリ８４に格納されたデジタルデータを暗号化キーＫｃを用いて暗号化し、さらに暗号化キーＫｂを用いて暗号化する（ステップＳ７０４）。
【０１６８】
暗号化モジュール８の復号部８４５は、ＮＷモジュール２から暗号化デジタルデータを受信した場合に（図３２ステップＳ７０６においてＹＥＳ）、この暗号化デジタルデータを暗号化キーＫｂを用いて復号し（図３２ステップＳ７０７）、復号したデジタルデータをメモリ８４に書き込む（図１３ステップＳ７０８）。
【０１６９】
なお、本実施例に第２の実施例を適用する場合には、復号部８４５は、ＮＷモジュール２からの暗号化デジタルデータを暗号化キーＫｂを用いて復号し、さらに暗号化キーＫｃを用いて復号する（ステップＳ７０７）。
【０１７０】
暗号化モジュール８のデータ転送部８４４は、復号部８４５によって復号されメモリ８４に格納されたデジタルデータをＵＳＢコントローラ８２および通信・受給電メスコネクタ８０を介してＡＤモジュール１ａに送信する（図３２ステップＳ７０９）。ＡＤモジュール１ａに送信したデジタルデータの中に、ＡＤモジュール１ａ宛のＡＤ変換パラメータ設定データが含まれている場合には、第１の実施例と同様にＡＤモジュール１ａにおいてＡＤ変換パラメータ設定が行われる。
【０１７１】
暗号化モジュール８は、例えばＡＤモジュール１ａの通信・受給電オスコネクタ１１が通信・受給電メスコネクタ８０から外されてＡＤモジュール１ａとの接続が解除されるまで、あるいは暗号化モジュール８がＮＷモジュール２から外されて、あるいはＮＷモジュール２が電源４から外されて電力供給がなくなるまで（図３２ステップＳ７１０においてＹＥＳ）、ステップＳ７００〜Ｓ７０９の処理を繰り返し行う。
【０１７２】
図３３は暗号化モジュール８のＮＷモジュール２との通信処理を説明するフローチャートである。暗号化モジュール８のデータ送信部８４２は、通信・受給電オスコネクタ８１およびＵＳＢコントローラ８２を介してＮＷモジュール２からデータ転送要求を受信したときに（図３３ステップＳ８００においてＹＥＳ）、暗号化部８４１によって暗号化された暗号化デジタルデータをメモリ８４から読み出し（図３３ステップＳ８０１）、読み出した暗号化デジタルデータをＵＳＢコントローラ８２および通信・受給電オスコネクタ８１を介してＮＷモジュール２に送信する（図３３ステップＳ８０２）。
【０１７３】
暗号化モジュール８のデータ受信部８４３は、通信・受給電オスコネクタ８１およびＵＳＢコントローラ８２を介してＮＷモジュール２から暗号化デジタルデータを受信したときに（図３３ステップＳ８０３においてＹＥＳ）、この暗号化デジタルデータを復号部８４５に渡す（図３３ステップＳ８０４）。これにより、上記のように暗号化デジタルデータの復号とＡＤモジュール１ａへの転送とが行われる。
【０１７４】
暗号化モジュール８は、例えば通信・受給電オスコネクタ８１がＮＷモジュール２の通信・受給電メスコネクタ２０から外されてＮＷモジュール２との接続が解除されるまで、あるいはＮＷモジュール２が電源４から外されて電力供給がなくなるまで（図３３ステップＳ８０５においてＹＥＳ）、ステップＳ８００〜Ｓ８０４の処理を繰り返し行う。
【０１７５】
ＮＷモジュール２の動作は、第１、第２の実施例と同様である。ただし、ＮＷモジュール２のデータ読出部２４０は、データ転送要求の送信タイミングになると（図１２ステップＳ３００においてＹＥＳ）、ＵＳＢコントローラ２３および通信・受給電メスコネクタ２０を介して暗号化モジュール８にデータ転送要求を送信する（図１２ステップＳ３０１）。データ読出部２４０は、通信・受給電メスコネクタ２０およびＵＳＢコントローラ２３を介して暗号化モジュール８から暗号化デジタルデータを受信すると（図１２ステップＳ３０２においてＹＥＳ）、この暗号化デジタルデータをメモリ２５に書き込む（図１２ステップＳ３０３）。
【０１７６】
また、ＮＷモジュール２のデータ送信部２４４は、クラウドサーバ１０１からの暗号化デジタルデータを受信した場合（図１２ステップＳ３０４）、ＵＳＢコントローラ２３および通信・受給電メスコネクタ２０を介して暗号化モジュール８に暗号化デジタルデータを送信する（図１２ステップＳ３０５）。
【０１７７】
こうして、本実施例では、第１、第２の実施例と同様の効果を得ることができる。また、本実施例では、デジタルデータを別の暗号化方式で暗号化して送信したい場合に、その暗号化方式に対応した暗号化モジュール８に交換することで、暗号化方式を簡単に切り替えることができる。
【０１７８】
［第４の実施例］
次に、本発明の第４の実施例について説明する。図３４は本発明の第４の実施例に係る電子回路モジュールであるストレージモジュールを示す図である。ストレージモジュール９は、他のモジュールの通信・受給電オスコネクタと着脱自在に嵌合する、データ通信および給電用の通信・受給電メスコネクタ９０と、他のモジュールの通信・受給電メスコネクタと着脱自在に嵌合する、データ通信および受電用の通信・受給電オスコネクタ９１と、ストレージモジュール９の筐体に付設されたＱＲコード９６とを備えている。ストレージモジュール９は、他のモジュール（ＡＤモジュール１）からのデータを蓄積する機能と、通信・受給電オスコネクタ９１（または通信・受給電メスコネクタ９０）から受電する機能と、受電した電力を通信・受給電メスコネクタ９０（または通信・受給電オスコネクタ９１）を介して外部へ給電する機能とを有している。
【０１７９】
図３５はストレージモジュール９の構成を示すブロック図である。ストレージモジュール９は、通信・受給電メスコネクタ９０と、通信・受給電オスコネクタ９１と、通信・受給電メスコネクタ９０または通信・受給電オスコネクタ９１を通じた信号の送受信を制御するＵＳＢコントローラ９２と、ＣＰＵ９３と、メモリ９４と、アンテナ９７と、通信回路９８とを備えている。
【０１８０】
ストレージモジュール９の電源線には、通信・受給電メスコネクタ９０のプラス側の電源端子（ＶＢＵＳ）と通信・受給電オスコネクタ９１のプラス側の電源端子（ＶＢＵＳ）とを接続するプラス側の電源線９５と、通信・受給電メスコネクタ９０のＧＮＤ端子と通信・受給電オスコネクタ９１のＧＮＤ端子とを接続するマイナス側の電源線とがあるが、図３５ではマイナス側の電源線の記載を省略している。
【０１８１】
ＣＰＵ９３は、メモリ９４に格納されたプログラムに従って本実施例で説明する処理を実行し、データ受信部９３０とデータ送信部９３１と近距離無線通信部９３２として機能する。
ＵＳＢコントローラ９２とＣＰＵ９３とメモリ９４と通信回路９８とは、通信・受給電オスコネクタ９１または通信・受給電メスコネクタ９０から電力供給を受けて動作する。
【０１８２】
計測システムの初期設定時には、第１の実施例と同様に、ユーザは、ストレージモジュール９のＱＲコード９６にユーザ端末１０２を近づけて、ＱＲコード９６をユーザ端末１０２のカメラ１０２５によって読み取るようにすればよい（図７ステップＳ１０）。これにより、第１の実施例と同様に計測システムの初期設定を行うことができる。
【０１８３】
ストレージモジュール９のＱＲコード９６が示す情報としては、ストレージモジュール９のＩＤ、ストレージモジュール９のデータ蓄積フォーマット、ストレージモジュール９の定格消費電力などがある。第１の実施例と同様に、ＱＲコード９６が示す情報は、所定のＱＲコード暗号化キーを用いて暗号化されていることが望ましい。
第１の実施例で説明したとおり、ＱＲコード９６の代わりに近距離無線通信も利用可能である。近距離無線通信の場合は、図１９の説明における近距離無線通信部３３０、アンテナ３７、通信回路３８、メモリ３４をそれぞれ近距離無線通信部９３２、アンテナ９７、通信回路９８、メモリ９４に置き換えるようにすればよい。第１の実施例で説明したとおり、メモリ９４から読み出す暗号化デジタルデータは、所定の近距離無線通信用暗号化キーを用いて予め暗号化されている。
【０１８４】
図３６は通信・受給電メスコネクタ９０側に接続される他のモジュール（例えばＡＤモジュール１，１ａあるいは暗号化モジュール８）とストレージモジュール９との通信処理を説明するフローチャートである。
ストレージモジュール９のデータ受信部９３０は、通信・受給電メスコネクタ９０およびＵＳＢコントローラ９２を介して他のモジュール（例えばＡＤモジュール１，１ａあるいは暗号化モジュール８）からデジタルデータまたは暗号化デジタルデータを受信すると（図３６ステップＳ１０００においてＹＥＳ）、このデジタルデータまたは暗号化デジタルデータをメモリ９４に書き込む（図３６ステップＳ１００１）。
【０１８５】
ストレージモジュール９は、例えば通信・受給電メスコネクタ９０あるいは通信・受給電オスコネクタ９１が他のモジュールから外されて電力供給がなくなるまで（図３６ステップＳ１００２においてＹＥＳ）、ステップＳ１０００〜Ｓ１００１の処理を繰り返し行う。なお、他の実施例と同様に、他のモジュールにデータ転送要求を送信して、このデータ転送要求に応じて送られてくるデジタルデータを受信するようにしてもよい。
【０１８６】
図３７は通信・受給電オスコネクタ９１側に接続される他のモジュール（例えばＮＷモジュール２）とストレージモジュール９との通信処理を説明するフローチャートである。
ストレージモジュール９のデータ送信部９３１は、通信・受給電オスコネクタ９１およびＵＳＢコントローラ９２を介して他のモジュール（例えばＮＷモジュール２）からデータ転送要求を受信したときに（図３７ステップＳ１１００においてＹＥＳ）、メモリ９４からデジタルデータまたは暗号化デジタルデータを読み出し（図３７ステップＳ１１０１）、読み出したデジタルデータまたは暗号化デジタルデータをＵＳＢコントローラ９２および通信・受給電オスコネクタ９１を介して他のモジュールに送信する（図３７ステップＳ１１０２）。
【０１８７】
ストレージモジュール９は、例えば通信・受給電メスコネクタ９０あるいは通信・受給電オスコネクタ９１が他のモジュールから外されて電力供給がなくなるまで（図３７ステップＳ１１０３においてＹＥＳ）、ステップＳ１１００〜Ｓ１１０２の処理を繰り返し行う。
【０１８８】
こうして、本実施例では、例えばＡＤモジュール１，１ａあるいは暗号化モジュール８からのデジタルデータをストレージモジュール９にいったん蓄積することができる。
【０１８９】
［第５の実施例］
第１〜第４の実施例では、クラウドサーバ１０１において電源４（バッテリ）の交換時期の推定、センサ３の点検時期、交換時期の推定、およびセンサ３とモジュールの組み合わせの確認を行っているが、これらの処理をユーザ端末で行うようにしてもよい。
【０１９０】
図３８は本実施例のユーザ端末１０２ａの構成を示すブロック図であり、図６と同一の構成には同一の符号を付してある。ユーザ端末１０２ａは、ＣＰＵ１０２０ａと、メモリ１０２１と、アンテナ１０２２と、通信回路１０２３と、表示器１０２４と、カメラ１０２５と、アンテナ１０３５と、通信回路１０３６とを備えている。
【０１９１】
ＣＰＵ１０２０ａは、メモリ１０２１に格納されたプログラムに従って本実施例で説明する処理を実行し、通信部１０２６と復号部１０２７と暗号化部１０２８と換算部１０２９とデータ補正部１０３０と表示部１０３１と画像取得部１０３２と情報取得部１０３３と情報転送部１０３４と近距離無線通信部１０３７と暗号化機能設定部１０３８と計測機能設定部１０３９と電力管理機能設定部１０４０とバッテリ寿命推定部１０４１とセンサ管理機能設定部１０４２とセンサ点検／交換時期推定部１０４３と組み合わせ確認機能設定部１０４４と組み合わせ確認部１０４５として機能する。
【０１９２】
図３９は計測システムの初期設定時のユーザ端末１０２ａの動作を説明するフローチャートである。図３９のステップＳ１０〜Ｓ１５の処理は図７と同じである。
ユーザ端末１０２ａの電力管理機能設定部１０４０は、情報取得部１０３３が取得した情報の中に、センサおよび各モジュールの定格消費電力の情報と電源４（バッテリ）の容量の情報とが含まれている場合（図３９ステップＳ８０においてＹＥＳ）、これらの情報をバッテリ寿命推定部１０４１に対して設定する（図３９ステップＳ８１）。
【０１９３】
ユーザ端末１０２ａのバッテリ寿命推定部１０４１は、電力管理機能設定部１０４０によって設定された各モジュールの定格消費電力および電源４（バッテリ）の容量の情報に基づいて、電源４（バッテリ）の交換時期を推定する（図３９ステップＳ８２）。
ユーザ端末１０２ａの表示部１０３１は、バッテリ寿命推定部１０４１によって推定されたバッテリの交換時期の情報を表示部１０２４に表示させる（図３９ステップＳ８３）。こうして、ユーザは、電源４としてバッテリが使用されている場合に、バッテリの交換時期を知ることができ、クラウドサーバ１０１に情報を転送する前に、バッテリの選定を行うことができる。
【０１９４】
ユーザ端末１０２ａのセンサ管理機能設定部１０４２は、情報取得部１０３３が取得した情報の中に、センサ３の点検間隔、利用可能期間の情報が含まれている場合（図３９ステップＳ８４においてＹＥＳ）、これらの情報をセンサ点検／交換時期推定部１０４３に対して設定する（図３９ステップＳ８５）。
【０１９５】
ユーザ端末１０２ａのセンサ点検／交換時期推定部１０４３は、センサ管理機能設定部１０４２によって設定されたセンサ３の点検間隔、利用可能期間の情報に基づいて、センサ３の点検時期、交換時期を推定する（図３９ステップＳ８６）。
ユーザ端末１０２ａの表示部１０３１は、センサ点検／交換時期推定部１０４３によって推定されたセンサ３の点検時期、交換時期の情報を表示部１０２４に表示させる（図３９ステップＳ８７）。こうして、ユーザは、クラウドサーバ１０１に情報を転送する前に、センサ３の点検時期、交換時期を知ることができる。
【０１９６】
ユーザ端末１０２ａの組み合わせ確認機能設定部１０４４は、情報取得部１０３３が取得した情報の中に、センサ３と各モジュールの情報が含まれている場合（図３９ステップＳ８８においてＹＥＳ）、これらの情報を組み合わせ確認部１０４５に対して設定する（図３９ステップＳ８９）。
【０１９７】
ユーザ端末１０２ａの組み合わせ確認部１０４５は、組み合わせ確認機能設定部１０４４によって設定された情報に基づいて、センサ３とモジュールの組み合わせが正しいかどうかを確認する（図３９ステップＳ９０）。
ユーザ端末１０２ａの表示部１０３１は、組み合わせ確認部１０４５によって得られたセンサ３とモジュールの組み合わせの確認結果の情報を表示部１０２４に表示させる（図３９ステップＳ９１）。こうして、ユーザは、クラウドサーバ１０１に情報を転送する前に、センサ３とモジュールの組み合わせが正しいかどうかを確認することができる。
【０１９８】
ＱＲコードの代わりに近距離無線通信を利用する場合の計測システムの初期設定時のユーザ端末１０２ａの動作を図４０に示す。
図４０のステップＳ１７〜Ｓ１９の処理は、図１８で説明したとおりであり、ステップＳ１３〜Ｓ１５の処理は、図７で説明したとおりである。
図４０のステップＳ８０〜Ｓ９１の処理は、図３９と同様であるが、情報取得部１０３３の代わりに、近距離無線通信部１０３７が取得した情報が使用される。
【０１９９】
図４１は本実施例の計測システムの初期設定時のクラウドサーバ１０１の動作を説明するフローチャートである。本実施例では、電源４（バッテリ）の交換時期の推定、センサ３の点検時期、交換時期の推定、およびセンサ３とモジュールの組み合わせの確認をユーザ端末１０２ａで行うため、図８で説明したステップＳ３０〜Ｓ３５の処理は省いてよい。図２１においても同様である。
また、図１４においては、ステップＳ５０６〜Ｓ５０８の処理を省いてよい。図２４においても同様である。
【０２００】
なお、第１〜第５の実施例では、通信・受給電コネクタとしてＵＳＢコネクタを採用しているが、ＵＳＢコネクタ以外の通信・受給電コネクタを用いてもよい。
【０２０１】
また、第１〜第５の実施例では、各モジュールの通信・受給電コネクタとＣＰＵとの間の通信にＵＳＢコントローラを用いているが、これに限るものではなく、ＵＳＢコントローラを経由することなく、あるいはＵＳＢコントローラ以外の手段を用いて、通信・受給電コネクタとＣＰＵとの間の通信を実現してもよい。
【０２０２】
また、第１〜第５の実施例では、ＡＤモジュール１，１ａを直接または間接的にＮＷモジュール２に接続する例を説明したが、これに限るものではなく、ＡＤモジュール１，１ａを直接コンピュータに接続したり、ＡＤモジュール１ａを暗号化モジュール８を介してコンピュータに接続したりして、暗号化デジタルデータまたはデジタルデータをコンピュータで読み出せるようにしてもよい。
また、第１〜第５の実施例では、センサ３と各モジュールのそれぞれにＱＲコードと近距離無線通信部の両方を設けるようにしたが、ＱＲコードと近距離無線通信部のうちいずれか一方を設けるようにしてもよい。同様に、ユーザ端末１０２には、情報取得部１０３３と近距離無線通信部１０３７のうちいずれか一方を設けるようにしてもよい。
【産業上の利用可能性】
【０２０３】
本発明は、センサからのデータを収集する計測システムに適用することができる。
【符号の説明】
【０２０４】
１，１ａ…ＡＤモジュール、２…ネットワークモジュール、３…センサ、４…電源、８…暗号化モジュール、９…ストレージモジュール、１０，２０，４０，９０…通信・受給電メスコネクタ、１１，２１，３０，９１…通信・受給電オスコネクタ、１２，２３，３１，８２，９２…ＵＳＢコントローラ、１３…ＡＤ変換部、１４，１４ａ，２４，３３，８３，９３，１０００，１０２０，１０２０ａ…ＣＰＵ、１５，２５，３４，８４，９４，１００１，１０２１…メモリ、１６，２７，３９，８５…電源線、１７，１７ａ，３５，３６，４１，８６，９６…ＱＲコード、２２，３７，８７，９７，１５０，２４５，１０３５…アンテナ、２６，２９，３８，８８，９８，１５１，２４６，１００２，１０３６…通信回路、２８…通信コネクタ、３２…センサ回路部、１００，１００ａ…計測装置、１０１…クラウドサーバ、１０２，１０２ａ…ユーザ端末、１０３…ネットワーク、１４０，８４１，１００８，１０１６，１０２８…暗号化部、１４１，２４４，８４２，９３１…データ送信部、１４２，２４０，８４０…データ読出部、１４３，１０１０，１０３０…データ補正部、１４４，２４３，１０１２…パラメータ設定部、１４５…タイムスタンプ付加部、１４６…温度データ付加部、１４７…位置データ付加部、１４８…データ書込部、１５２，２４１，２４７，３３０，８４６，９３２，１００３，１０１１，１０２６，１０３７…通信部、２４２，８４３，９３０…データ受信部、１４９，８４５，１００７，１０１５，１０２７…復号部、８４４…データ転送部、１００４…通信機能設定部、１００５，１０３８…暗号化機能設定部、１００６，１０３９…計測機能設定部、１００９，１０２９…換算部、１０１３，１０４０…電力管理機能設定部、１０１４，１０４１…バッテリ寿命推定部、１０１７，１０４２…センサ管理機能設定部、１０１８，１０４３…センサ点検／交換時期推定部、１０１９，１０４４…組み合わせ確認機能設定部、１０４５，１０６０…組み合わせ確認部、１０３１…表示部、１０３２…画像取得部、１０３３…情報取得部、１０３４…情報転送部。
【図１】
2020144500.tif 000003
【図２】
2020144500.tif 000004
【図３】
2020144500.tif 000005
【図４】
2020144500.tif 000006
【図５】
2020144500.tif 000007
【図６】
2020144500.tif 000008
【図７】
2020144500.tif 000009
【図８】
2020144500.tif 000010
【図９】
2020144500.tif 000011
【図１０】
2020144500.tif 000012
【図１１】
2020144500.tif 000013
【図１２】
2020144500.tif 000014
【図１３】
2020144500.tif 000015
【図１４】
2020144500.tif 000016
【図１５】
2020144500.tif 000017
【図１６】
2020144500.tif 000018
【図１７】
2020144500.tif 000019
【図１８】
2020144500.tif 000020
【図１９】
2020144500.tif 000021
【図２０】
2020144500.tif 000022
【図２１】
2020144500.tif 000023
【図２２】
2020144500.tif 000024
【図２３】
2020144500.tif 000025
【図２４】
2020144500.tif 000026
【図２５】
2020144500.tif 000027
【図２６】
2020144500.tif 000028
【図２７】
2020144500.tif 000029
【図２８】
2020144500.tif 000030
【図２９】
2020144500.tif 000031
【図３０】
2020144500.tif 000032
【図３１】
2020144500.tif 000033
【図３２】
2020144500.tif 000034
【図３３】
2020144500.tif 000035
【図３４】
2020144500.tif 000036
【図３５】
2020144500.tif 000037
【図３６】
2020144500.tif 000038
【図３７】
2020144500.tif 000039
【図３８】
2020144500.tif 000040
【図３９】
2020144500.tif 000041
【図４０】
2020144500.tif 000042
【図４１】
2020144500.tif 000043